(57)【要約】【課題】設備コストを低減し、印刷処理または製本処理および移動計画を効率的に行うのに好適な移動印刷サービス提供システムを提供する。【解決手段】移動印刷車両２００および移動製本車両２１０のいずれかからなる実行リソースを複数利用し、移動印刷サービスを提供する。管理サーバ１００は、移動印刷車両２００が印刷に必要な資材を保有していると判定したときは、移動印刷車両２００が合流地点まで移動するのに要する移動コストを算出し、必要な資材を保有していないと判定したときは、移動印刷車両２００が経由地点を経由して合流地点まで移動するのに要する移動コストを算出する。そして、移動コストの合計が最小となる実行リソースおよび合流地点の組み合わせを決定し、その組み合わせについて移動計画、印刷計画および製本計画を決定する。【選択図】図２
2007213283.tif 000002
【特許請求の範囲】
【請求項１】
印刷または印刷後処理に関する工程を実施する工程実施装置を備える移動体を通信可能
に複数接続し、前記移動体において前記工程を実施する移動印刷サービスを提供する移動
印刷サービス提供システムであって、
印刷または印刷後処理の仕様を含む納品指示情報を取得する納品指示情報取得手段と、
前記移動体が経由地点を経由する必要があるか否かを判定する経由判定手段と、前記納品
指示情報取得手段で取得した納品指示情報に基づいて前記複数の移動体の工程実施計画を
、前記経由判定手段の判定結果に基づいて前記複数の移動体の移動計画を行う管理手段と
を備えることを特徴とする移動印刷サービス提供システム。
【請求項２】
印刷または印刷後処理に関する第１工程を実施する第１工程実施装置を備える第１移動
体と、前記第１工程の後工程であって印刷または印刷後処理に関する第２工程を実施する
第２工程実施装置を備える第２移動体とを通信可能に接続し、前記第１移動体において前
記第１工程を実施し、前記第１移動体の実施結果を前記第２移動体に引き渡し、前記第２
移動体において前記第２工程を実施し、前記第２移動体の実施結果を所定の納品先に納品
する移動印刷サービスを提供する移動印刷サービス提供システムであって、
印刷および印刷後処理の仕様、並びに前記納品先の位置を含む納品指示情報を取得する
納品指示情報取得手段と、前記第１移動体または前記第２移動体が経由地点を経由する必
要があるか否かを判定する経由判定手段と、前記納品指示情報取得手段で取得した納品指
示情報に基づいて前記第１移動体および前記第２移動体の工程実施計画を、前記納品指示
情報取得手段で取得した納品指示情報および前記経由判定手段の判定結果に基づいて前記
第１移動体および前記第２移動体の移動計画を行う管理手段とを備えることを特徴とする
移動印刷サービス提供システム。
【請求項３】
請求項２において、
さらに、前記第１移動体が保有する資材に関する資材情報を取得する資材情報取得手段
を備え、
前記経由判定手段は、前記納品指示情報取得手段で取得した納品指示情報および前記資
材情報取得手段で取得した資材情報に基づいて、前記第１移動体が前記第１工程の実施に
必要な資材を保有しているか否かを判定し、
前記管理手段は、前記経由判定手段で必要な資材を保有していないと判定したときは、
前記必要な資材を補給可能な前記経由地点を経由する前記移動計画を行うことを特徴とす
る移動印刷サービス提供システム。
【請求項４】
請求項３において、
複数の前記第１移動体を通信可能に接続し、
さらに、前記第１移動体が前記第２移動体との合流地点まで移動するのに要する移動コ
ストを算出する第１移動コスト算出手段と、前記第２移動体が前記合流地点から前記納品
先まで移動するのに要する移動コストを算出する第２移動コスト算出手段と、前記第１移
動体が前記経由地点を経由して前記合流地点まで移動するのに要する移動コストを算出す
る第３移動コスト算出手段とを備え、
前記管理手段は、前記第１移動体の実施結果を得るための第１工程実施処理および前記
第２移動体の実施結果を得るための第２工程実施処理を割り当てる前記第１移動体および
前記第２移動体のすべての組み合わせについて、前記経由判定手段で必要な資材を保有し
ていると判定したときは、前記第１移動コスト算出手段および前記第２移動コスト算出手
段の算出結果を、前記経由判定手段で必要な資材を保有していないと判定したときは、前
記第３移動コスト算出手段および前記第２移動コスト算出手段の算出結果を取得する算出
結果取得手段と、前記算出結果取得手段で取得した算出結果に基づいて、前記移動コスト
の合計が最小となる前記第１移動体および前記第２移動体の組み合わせを決定し、当該組
み合わせについて前記移動計画および前記工程実施計画を決定する計画決定手段とを備え
ることを特徴とする移動印刷サービス提供システム。
【請求項５】
請求項３において、
複数の前記第１移動体を通信可能に接続し、
前記第１移動体が前記第２移動体との合流地点まで移動するのに要する移動コストを算
出する第１移動コスト算出手段と、前記第２移動体が前記合流地点まで移動するのに要す
る移動コストを算出する第２移動コスト算出手段と、前記第２移動体が前記合流地点から
前記納品先まで移動するのに要する移動コストを算出する第３移動コスト算出手段と、前
記第１移動体が前記経由地点を経由して前記合流地点まで移動するのに要する移動コスト
を算出する第４移動コスト算出手段とを備え、
前記管理手段は、前記第１移動体の実施結果を得るための第１工程実施処理および前記
第２移動体の実施結果を得るための第２工程実施処理を割り当てる前記第１移動体および
前記第２移動体、並びに複数の前記合流地点のすべての組み合わせについて、前記経由判
定手段で必要な資材を保有していると判定したときは、前記第１移動コスト算出手段、前
記第２移動コスト算出手段および前記第３移動コスト算出手段の算出結果を、前記経由判
定手段で必要な資材を保有していないと判定したときは、前記第４移動コスト算出手段、
前記第２移動コスト算出手段および前記第３移動コスト算出手段の算出結果を取得する算
出結果取得手段と、前記算出結果取得手段で取得した算出結果に基づいて、前記移動コス
トの合計が最小となる前記第１移動体、前記第２移動体および前記合流地点の組み合わせ
を決定し、当該組み合わせについて前記移動計画および前記工程実施計画を決定する計画
決定手段とを備えることを特徴とする移動印刷サービス提供システム。
【請求項６】
請求項２において、
さらに、前記第２移動体が保有する資材に関する資材情報を取得する資材情報取得手段
を備え、
前記経由判定手段は、前記納品指示情報取得手段で取得した納品指示情報および前記資
材情報取得手段で取得した資材情報に基づいて、前記第２移動体が前記第２工程の実施に
必要な資材を保有しているか否かを判定し、
前記管理手段は、前記経由判定手段で必要な資材を保有していないと判定したときは、
前記必要な資材を補給可能な前記経由地点を経由する前記移動計画を行うことを特徴とす
る移動印刷サービス提供システム。
【請求項７】
請求項６において、
複数の前記第１移動体を通信可能に接続し、
さらに、前記第１移動体が前記第２移動体との合流地点まで移動するのに要する移動コ
ストを算出する第１移動コスト算出手段と、前記第２移動体が前記合流地点から前記納品
先まで移動するのに要する移動コストを算出する第２移動コスト算出手段と、前記第２移
動体が前記経由地点を経由して前記合流地点から前記納品先まで移動するのに要する移動
コストを算出する第３移動コスト算出手段とを備え、
前記管理手段は、前記第１移動体の実施結果を得るための第１工程実施処理および前記
第２移動体の実施結果を得るための第２工程実施処理を割り当てる前記第１移動体および
前記第２移動体のすべての組み合わせについて、前記経由判定手段で必要な資材を保有し
ていると判定したときは、前記第１移動コスト算出手段および前記第２移動コスト算出手
段の算出結果を、前記経由判定手段で必要な資材を保有していないと判定したときは、前
記第１移動コスト算出手段および前記第３移動コスト算出手段の算出結果を取得する算出
結果取得手段と、前記算出結果取得手段で取得した算出結果に基づいて、前記移動コスト
の合計が最小となる前記第１移動体および前記第２移動体の組み合わせを決定し、当該組
み合わせについて前記移動計画および前記工程実施計画を決定する計画決定手段とを備え
ることを特徴とする移動印刷サービス提供システム。
【請求項８】
請求項６において、
複数の前記第１移動体を通信可能に接続し、
前記第１移動体が前記第２移動体との合流地点まで移動するのに要する移動コストを算
出する第１移動コスト算出手段と、前記第２移動体が前記合流地点まで移動するのに要す
る移動コストを算出する第２移動コスト算出手段と、前記第２移動体が前記合流地点から
前記納品先まで移動するのに要する移動コストを算出する第３移動コスト算出手段と、前
記第２移動体が前記経由地点を経由して前記合流地点または前記納品先まで移動するのに
要する移動コストを算出する第４移動コスト算出手段とを備え、
前記管理手段は、前記第１移動体の実施結果を得るための第１工程実施処理および前記
第２移動体の実施結果を得るための第２工程実施処理を割り当てる前記第１移動体および
前記第２移動体、並びに複数の前記合流地点のすべての組み合わせについて、前記経由判
定手段で必要な資材を保有していると判定したときは、前記第１移動コスト算出手段、前
記第２移動コスト算出手段および前記第３移動コスト算出手段の算出結果を、前記経由判
定手段で必要な資材を保有していないと判定したときは、前記第１移動コスト算出手段、
前記第４移動コスト算出手段、および前記第２移動コスト算出手段または前記第３移動コ
スト算出手段の算出結果を取得する算出結果取得手段と、前記算出結果取得手段で取得し
た算出結果に基づいて、前記移動コストの合計が最小となる前記第１移動体、前記第２移
動体および前記合流地点の組み合わせを決定し、当該組み合わせについて前記移動計画お
よび前記工程実施計画を決定する計画決定手段とを備えることを特徴とする移動印刷サー
ビス提供システム。
【請求項９】
印刷または印刷後処理に関する工程を実施する工程実施装置を備える移動体を通信可能
に複数接続し、前記移動体において前記工程を実施する移動印刷サービスを提供する移動
印刷サービス提供プログラムであって、
印刷または印刷後処理の仕様を含む納品指示情報を取得する納品指示情報取得ステップ
と、前記移動体が経由地点を経由する必要があるか否かを判定する経由判定ステップと、
前記納品指示情報取得ステップで取得した納品指示情報に基づいて前記複数の移動体の工
程実施計画を、前記経由判定ステップの判定結果に基づいて前記複数の移動体の移動計画
を行う管理ステップとからなる処理をコンピュータに実行させるためのプログラムを含む
ことを特徴とする移動印刷サービス提供プログラム。
【請求項１０】
印刷または印刷後処理に関する第１工程を実施する第１工程実施装置を備える第１移動
体と、前記第１工程の後工程であって印刷または印刷後処理に関する第２工程を実施する
第２工程実施装置を備える第２移動体とを通信可能に接続し、前記第１移動体において前
記第１工程を実施し、前記第１移動体の実施結果を前記第２移動体に引き渡し、前記第２
移動体において前記第２工程を実施し、前記第２移動体の実施結果を所定の納品先に納品
する移動印刷サービスを提供する移動印刷サービス提供プログラムであって、
印刷および印刷後処理の仕様、並びに前記納品先の位置を含む納品指示情報を取得する
納品指示情報取得ステップと、前記第１移動体または前記第２移動体が経由地点を経由す
る必要があるか否かを判定する経由判定ステップと、前記納品指示情報取得ステップで取
得した納品指示情報に基づいて前記第１移動体および前記第２移動体の工程実施計画を、
前記納品指示情報取得ステップで取得した納品指示情報および前記経由判定ステップの判
定結果に基づいて前記第１移動体および前記第２移動体の移動計画を行う管理ステップと
からなる処理をコンピュータに実行させるためのプログラムを含むことを特徴とする移動
印刷サービス提供プログラム。
【請求項１１】
印刷または印刷後処理に関する工程を実施する工程実施装置を備える移動体を通信可能
に複数接続し、前記移動体において前記工程を実施する移動印刷サービスを提供する移動
印刷サービス提供方法であって、
印刷または印刷後処理の仕様を含む納品指示情報を取得する納品指示情報取得ステップ
と、前記移動体が経由地点を経由する必要があるか否かを判定する経由判定ステップと、
前記納品指示情報取得ステップで取得した納品指示情報に基づいて前記複数の移動体の工
程実施計画を、前記経由判定ステップの判定結果に基づいて前記複数の移動体の移動計画
を行う管理ステップとを含むことを特徴とする移動印刷サービス提供方法。
【請求項１２】
印刷または印刷後処理に関する第１工程を実施する第１工程実施装置を備える第１移動
体と、前記第１工程の後工程であって印刷または印刷後処理に関する第２工程を実施する
第２工程実施装置を備える第２移動体とを通信可能に接続し、前記第１移動体において前
記第１工程を実施し、前記第１移動体の実施結果を前記第２移動体に引き渡し、前記第２
移動体において前記第２工程を実施し、前記第２移動体の実施結果を所定の納品先に納品
する移動印刷サービスを提供する移動印刷サービス提供方法であって、
印刷および印刷後処理の仕様、並びに前記納品先の位置を含む納品指示情報を取得する
納品指示情報取得ステップと、前記第１移動体または前記第２移動体が経由地点を経由す
る必要があるか否かを判定する経由判定ステップと、前記納品指示情報取得ステップで取
得した納品指示情報に基づいて前記第１移動体および前記第２移動体の工程実施計画を、
前記納品指示情報取得ステップで取得した納品指示情報および前記経由判定ステップの判
定結果に基づいて前記第１移動体および前記第２移動体の移動計画を行う管理ステップと
を含むことを特徴とする移動印刷サービス提供方法。
【発明の詳細な説明】
【技術分野】
【０００１】
本発明は、移動体が移動しながら印刷または製本を行う移動印刷サービスを提供するシ
ステムおよびプログラム、並びに方法に係り、特に、設備コストを低減し、印刷処理また
は製本処理および移動計画を効率的に行うのに好適な移動印刷サービス提供システムおよ
び移動印刷サービス提供プログラム、並びに移動印刷サービス提供方法に関する。
【背景技術】
【０００２】
従来、印刷装置を搭載した車両を目的地に移動させて印刷を行う技術としては、例えば
、特許文献１記載の技術が知られている。
特許文献１記載の技術は、画像データを処理する画像データ処理装置と、画像データ処
理装置で生成した印刷データに基づいて印刷を行う印刷装置とを搭載した移動印刷車両を
備える。移動印刷車両を用いてイベント会場などに移動し、会場において撮影した画像デ
ータそのものを画像データ処理装置で編集して印刷を行うことができる。
【特許文献１】特開２００３−８１００１号公報
【発明の開示】
【発明が解決しようとする課題】
【０００３】
ところで、顧客の要望により印刷および製本を行うサービスを考えた場合、印刷部数や
納品期限等の納品指示を顧客から受け、その納品指示に従って印刷および製本を行い、製
本結果を車両にて指定の納品先に配送する。このとき、印刷部数が多い場合等は、指定さ
れた納品期限に間に合わないことがあり、印刷処理および製本処理を高速かつ効率的に行
うことが望まれる。そこで、特許文献１記載の移動印刷車両を利用し、移動中に印刷処理
を行うことにより効率化を図ることが考えられる。
【０００４】
しかしながら、特許文献１記載の技術にあっては、移動中の時間を印刷処理時間に割り
当てることはできても、１台の印刷装置ではやはり一定の限界がある。１台の移動印刷車
両に複数台の印刷装置を搭載することも考えられるが、多数の配送を並行して行う場合も
あり、これに対応するため、複数台の印刷装置を搭載した移動印刷車両を複数台用意する
には設備コストの上昇を招く。
【０００５】
また、複数台の移動印刷車両を用いて印刷処理および製本処理を行う場合は、印刷処理
および製本処理を移動印刷車両に割り当てて移動計画を行うことが考えられる。
しかしながら、印刷または製本に必要な資材や燃料が不足していたり、移動印刷車両に
不備が生じていたりした場合は、資材や燃料の補給またはメンテナンスのため、補給所ま
たは整備場を経由してから納品先に赴かなければならず、こうした事情を考慮せず単に割
当を行うのでは、移動計画を効率的に行うことができない。
【０００６】
このような問題は、顧客の要望により印刷および製本を行うサービスを提供する場合に
限らず、印刷だけを行うサービス、製本だけを行うサービスを提供する場合についても同
様に想定される。
そこで、本発明は、このような従来の技術の有する未解決の課題に着目してなされたも
のであって、設備コストを低減し、印刷処理または製本処理および移動計画を効率的に行
うのに好適な移動印刷サービス提供システムおよび移動印刷サービス提供プログラム、並
びに移動印刷サービス提供方法を提供することを目的としている。
【課題を解決するための手段】
【０００７】
〔形態１〕  上記目的を達成するために、形態１の移動印刷サービス提供システムは、
印刷または印刷後処理に関する工程を実施する工程実施装置を備える移動体を通信可能
に複数接続し、前記移動体において前記工程を実施する移動印刷サービスを提供する移動
印刷サービス提供システムであって、
印刷または印刷後処理の仕様を含む納品指示情報を取得する納品指示情報取得手段と、
前記移動体が経由地点を経由する必要があるか否かを判定する経由判定手段と、前記納品
指示情報取得手段で取得した納品指示情報に基づいて前記複数の移動体の工程実施計画を
、前記経由判定手段の判定結果に基づいて前記複数の移動体の移動計画を行う管理手段と
を備えることを特徴とする。
【０００８】
このような構成であれば、納品指示情報取得手段により、印刷または印刷後処理の仕様
を含む納品指示情報が取得され、経由判定手段により、移動体が経由地点を経由する必要
があるか否かが判定される。そして、管理手段により、取得された納品指示情報に基づい
て複数の移動体の工程実施計画が、経由判定手段の判定結果に基づいて複数の移動体の移
動計画が行われる。
【０００９】
これにより、移動計画および工程実施計画に基づいて、複数の移動体が連携して移動お
よび印刷または印刷後処理を行うので、従来に比して、印刷処理または印刷後処理を効率
的に行うことができるという効果が得られる。また、複数の工程実施装置を備える移動体
を利用するのではなく、工程実施装置を備える移動体を複数利用するので、納品指示の内
容に応じて移動体を必要な数だけ手配すればよく、多数の配送を並行して行うような場合
に、設備コストを低減するとともに移動体を効率的に運用することができるという効果が
得られる。さらに、移動体が経由地点を経由する必要があるか否かを考慮して移動計画を
行うので、移動計画を効率的に行うことができるという効果が得られる。
【００１０】
ここで、移動体は、実空間を移動可能な物体をいい、これには、例えば、車両、船舶、
航空機、特殊機械が含まれる。また、車両には、例えば、自動車、二輪車、特殊自動車、
鉄道車両が含まれる。また、特殊機械には、ベルトコンベアと、ベルトコンベア上に設置
された架台からなる搬送装置、外部の動力によって移動可能な台車、他の車両等に搭載し
て移動可能な架台が含まれる。以下、形態２の移動印刷サービス提供システム、形態９お
よび１０の移動印刷サービス提供プログラム、並びに形態１７および１８の移動印刷サー
ビス提供方法において同じである。
【００１１】
また、印刷または印刷後処理に関する工程としては、例えば、印刷、追い刷り、箔押し
、ニスコート、ラミネート、折り、帳合、製本、裁断および封緘が含まれる。以下、形態
２の移動印刷サービス提供システム、形態９および１０の移動印刷サービス提供プログラ
ム、並びに形態１７および１８の移動印刷サービス提供方法において同じである。
また、経由地点としては、例えば、印刷または印刷後処理に関する工程の実施に必要な
資材を補給可能な経由地点、移動体の燃料を補給可能な経由地点、移動体をメンテナンス
可能な経由地点、移動体の実施結果を確認または引き渡すための経由地点が含まれる。以
下、形態２の移動印刷サービス提供システム、形態９および１０の移動印刷サービス提供
プログラム、並びに形態１７および１８の移動印刷サービス提供方法において同じである
。
【００１２】
また、納品指示情報取得手段は、納品指示情報を取得するようになっていればどのよう
な構成であってもよく、例えば、入力装置等から納品指示情報を入力してもよいし、外部
の装置等から納品指示情報を獲得または受信してもよいし、記憶装置や記憶媒体等から納
品指示情報を読み出してもよい。したがって、取得には、少なくとも入力、獲得、受信お
よび読出が含まれる。以下、取得の概念については同じである。
【００１３】
また、本システムは、単一の装置、端末その他の機器として実現するようにしてもよい
し、複数の装置、端末その他の機器を通信可能に接続したネットワークシステムとして実
現するようにしてもよい。後者の場合、各構成要素は、それぞれ通信可能に接続されてい
れば、複数の機器等のうちいずれに属していてもよい。以下、形態２の移動印刷サービス
提供システムにおいて同じである。
【００１４】
〔形態２〕  さらに、形態２の移動印刷サービス提供システムは、
印刷または印刷後処理に関する第１工程を実施する第１工程実施装置を備える第１移動
体と、前記第１工程の後工程であって印刷または印刷後処理に関する第２工程を実施する
第２工程実施装置を備える第２移動体とを通信可能に接続し、前記第１移動体において前
記第１工程を実施し、前記第１移動体の実施結果を前記第２移動体に引き渡し、前記第２
移動体において前記第２工程を実施し、前記第２移動体の実施結果を所定の納品先に納品
する移動印刷サービスを提供する移動印刷サービス提供システムであって、
印刷および印刷後処理の仕様、並びに前記納品先の位置を含む納品指示情報を取得する
納品指示情報取得手段と、前記第１移動体または前記第２移動体が経由地点を経由する必
要があるか否かを判定する経由判定手段と、前記納品指示情報取得手段で取得した納品指
示情報に基づいて前記第１移動体および前記第２移動体の工程実施計画を、前記納品指示
情報取得手段で取得した納品指示情報および前記経由判定手段の判定結果に基づいて前記
第１移動体および前記第２移動体の移動計画を行う管理手段とを備えることを特徴とする
。
【００１５】
このような構成であれば、納品指示情報取得手段により、印刷および印刷後処理の仕様
、並びに納品先の位置を含む納品指示情報が取得され、経由判定手段により、第１移動体
または第２移動体が経由地点を経由する必要があるか否かが判定される。そして、管理手
段により、取得された納品指示情報に基づいて第１移動体および第２移動体の工程実施計
画が、取得された納品指示情報および経由判定手段の判定結果に基づいて第１移動体およ
び第２移動体の移動計画が行われる。
【００１６】
これにより、移動計画および工程実施計画に基づいて、第１移動体および第２移動体が
連携して移動、印刷および印刷後処理を行うので、従来に比して、印刷処理および印刷後
処理を効率的に行うことができるという効果が得られる。また、複数の第１工程実施装置
または第２工程実施装置を備える移動体を利用するのではなく、第１工程実施装置または
第２工程実施装置を備える移動体を複数利用するので、納品指示の内容に応じて移動体を
必要な数だけ手配すればよく、多数の配送を並行して行うような場合に、設備コストを低
減するとともに移動体を効率的に運用することができるという効果が得られる。さらに、
第１移動体または第２移動体が経由地点を経由する必要があるか否かを考慮して移動計画
を行うので、移動計画を効率的に行うことができるという効果が得られる。
【００１７】
ここで、第１工程は、例えば、印刷工程の一部、印刷工程の全部、または印刷工程の全
部および印刷後処理の工程の一部からなる。以下、形態１０の移動印刷サービス提供プロ
グラム、および形態１８の移動印刷サービス提供方法において同じである。
また、第２工程は、第１工程の後工程であればよく、第１工程に直後に行う工程であっ
てもよいし、第１工程と第２工程の間に中間工程を行い、その中間工程の直後に行う工程
であってもよい。前者の場合、例えば、第１工程が印刷工程の一部からなる場合、第２工
程は、印刷工程の残部および印刷後処理の工程の全部からなり、第１工程が印刷工程の全
部からなる場合、第２工程は、印刷後処理の工程の全部からなり、第１工程が印刷工程の
全部および印刷後処理の工程の一部からなる場合、第２工程は、印刷後処理の工程の残部
からなる。以下、形態１０の移動印刷サービス提供プログラム、および形態１８の移動印
刷サービス提供方法において同じである。
【００１８】
〔形態３〕  さらに、形態３の移動印刷サービス提供システムは、形態２の移動印刷サ
ービス提供システムにおいて、
さらに、前記第１移動体が保有する資材に関する資材情報を取得する資材情報取得手段
を備え、
前記経由判定手段は、前記納品指示情報取得手段で取得した納品指示情報および前記資
材情報取得手段で取得した資材情報に基づいて、前記第１移動体が前記第１工程の実施に
必要な資材を保有しているか否かを判定し、
前記管理手段は、前記経由判定手段で必要な資材を保有していないと判定したときは、
前記必要な資材を補給可能な前記経由地点を経由する前記移動計画を行うことを特徴とす
る。
【００１９】
このような構成であれば、資材情報取得手段により、第１移動体が保有する資材に関す
る資材情報が取得され、経由判定手段により、取得された納品指示情報および資材情報に
基づいて、第１移動体が第１工程の実施に必要な資材を保有しているか否かが判定される
。その結果、必要な資材を保有していないと判定されると、管理手段により、必要な資材
を補給可能な経由地点を経由する移動計画が行われる。
これにより、第１移動体が必要な資材を保有していない場合に、移動計画を効率的に行
うことができるという効果が得られる。
【００２０】
〔形態４〕  さらに、形態４の移動印刷サービス提供システムは、形態３の移動印刷サ
ービス提供システムにおいて、
複数の前記第１移動体を通信可能に接続し、
さらに、前記第１移動体が前記第２移動体との合流地点まで移動するのに要する移動コ
ストを算出する第１移動コスト算出手段と、前記第２移動体が前記合流地点から前記納品
先まで移動するのに要する移動コストを算出する第２移動コスト算出手段と、前記第１移
動体が前記経由地点を経由して前記合流地点まで移動するのに要する移動コストを算出す
る第３移動コスト算出手段とを備え、
前記管理手段は、前記第１移動体の実施結果を得るための第１工程実施処理および前記
第２移動体の実施結果を得るための第２工程実施処理を割り当てる前記第１移動体および
前記第２移動体のすべての組み合わせについて、前記経由判定手段で必要な資材を保有し
ていると判定したときは、前記第１移動コスト算出手段および前記第２移動コスト算出手
段の算出結果を、前記経由判定手段で必要な資材を保有していないと判定したときは、前
記第３移動コスト算出手段および前記第２移動コスト算出手段の算出結果を取得する算出
結果取得手段と、前記算出結果取得手段で取得した算出結果に基づいて、前記移動コスト
の合計が最小となる前記第１移動体および前記第２移動体の組み合わせを決定し、当該組
み合わせについて前記移動計画および前記工程実施計画を決定する計画決定手段とを備え
ることを特徴とする。
【００２１】
このような構成であれば、第１移動コスト算出手段により、第１移動体が合流地点まで
移動するのに要する移動コストが算出され、第２移動コスト算出手段により、第２移動体
が合流地点から納品先まで移動するのに要する移動コストが算出される。また、第３移動
コスト算出手段により、第１移動体が経由地点を経由して合流地点まで移動するのに要す
る移動コストが算出される。
【００２２】
次いで、算出結果取得手段により、第１工程実施処理および第２工程実施処理を割り当
てる第１移動体および第２移動体のすべての組み合わせについて、第１移動体が必要な資
材を保有していると判定されると、第１移動コスト算出手段および第２移動コスト算出手
段の算出結果が取得される。これに対し、第１移動体が必要な資材を保有していないと判
定されると、第３移動コスト算出手段および第２移動コスト算出手段の算出結果が取得さ
れる。
【００２３】
そして、算出結果が取得されると、計画決定手段により、取得された算出結果に基づい
て、移動コストの合計が最小となる第１移動体および第２移動体の組み合わせが決定され
、その組み合わせについて移動計画および工程実施計画が決定される。
これにより、移動コストの合計が最小となる第１移動体および第２移動体の組み合わせ
について移動計画および工程実施計画を決定するので、移動コストを低減することができ
るという効果が得られる。
【００２４】
ここで、第１移動コスト算出手段、第２移動コスト算出手段または第３移動コスト算出
手段の算出結果は、第１工程実施処理および第２工程実施処理を割り当てる第１移動体お
よび第２移動体のすべての組み合わせについて取得するが、第１移動コスト算出手段、第
２移動コスト算出手段および第３移動コスト算出手段による算出は、第１移動体および第
２移動体のすべての組み合わせについて必ずしも行う必要はない。以下、形態７の移動印
刷サービス提供システムにおいて同じである。
また、移動コストには、移動に要する費用のほか、移動に伴って生じる環境負荷も含ま
れる。以下、形態５、７および８の移動印刷サービス提供システム、形態１２、１３、１
５および１６の移動印刷サービス提供プログラム、並びに形態２０、２１、２３および２
４の移動印刷サービス提供方法において同じである。
【００２５】
〔形態５〕  さらに、形態５の移動印刷サービス提供システムは、形態３の移動印刷サ
ービス提供システムにおいて、
複数の前記第１移動体を通信可能に接続し、
前記第１移動体が前記第２移動体との合流地点まで移動するのに要する移動コストを算
出する第１移動コスト算出手段と、前記第２移動体が前記合流地点まで移動するのに要す
る移動コストを算出する第２移動コスト算出手段と、前記第２移動体が前記合流地点から
前記納品先まで移動するのに要する移動コストを算出する第３移動コスト算出手段と、前
記第１移動体が前記経由地点を経由して前記合流地点まで移動するのに要する移動コスト
を算出する第４移動コスト算出手段とを備え、
前記管理手段は、前記第１移動体の実施結果を得るための第１工程実施処理および前記
第２移動体の実施結果を得るための第２工程実施処理を割り当てる前記第１移動体および
前記第２移動体、並びに複数の前記合流地点のすべての組み合わせについて、前記経由判
定手段で必要な資材を保有していると判定したときは、前記第１移動コスト算出手段、前
記第２移動コスト算出手段および前記第３移動コスト算出手段の算出結果を、前記経由判
定手段で必要な資材を保有していないと判定したときは、前記第４移動コスト算出手段、
前記第２移動コスト算出手段および前記第３移動コスト算出手段の算出結果を取得する算
出結果取得手段と、前記算出結果取得手段で取得した算出結果に基づいて、前記移動コス
トの合計が最小となる前記第１移動体、前記第２移動体および前記合流地点の組み合わせ
を決定し、当該組み合わせについて前記移動計画および前記工程実施計画を決定する計画
決定手段とを備えることを特徴とする。
【００２６】
このような構成であれば、第１移動コスト算出手段により、第１移動体が合流地点まで
移動するのに要する移動コストが算出され、第２移動コスト算出手段により、第２移動体
が合流地点まで移動するのに要する移動コストが算出される。また、第３移動コスト算出
手段により、第２移動体が合流地点から納品先まで移動するのに要する移動コストが算出
され、第４移動コスト算出手段により、第１移動体が経由地点を経由して合流地点まで移
動するのに要する移動コストが算出される。
【００２７】
次いで、算出結果取得手段により、第１工程実施処理および第２工程実施処理を割り当
てる第１移動体および第２移動体、並びに複数の合流地点のすべての組み合わせについて
、第１移動体が必要な資材を保有していると判定されると、第１移動コスト算出手段、第
２移動コスト算出手段および第３移動コスト算出手段の算出結果が取得される。これに対
し、第１移動体が必要な資材を保有していないと判定されると、第４移動コスト算出手段
、第２移動コスト算出手段および第３移動コスト算出手段の算出結果が取得される。
【００２８】
そして、算出結果が取得されると、計画決定手段により、取得された算出結果に基づい
て、移動コストの合計が最小となる第１移動体、第２移動体および合流地点の組み合わせ
が決定され、その組み合わせについて移動計画および工程実施計画が決定される。
これにより、移動コストの合計が最小となる第１移動体、第２移動体および合流地点の
組み合わせについて移動計画および工程実施計画を決定するので、移動コストを低減する
ことができるという効果が得られる。
【００２９】
ここで、第１移動コスト算出手段、第２移動コスト算出手段、第３移動コスト算出手段
または第４移動コスト算出手段の算出結果は、第１工程実施処理および第２工程実施処理
を割り当てる第１移動体および第２移動体、並びに複数の合流地点のすべての組み合わせ
について取得するが、第１移動コスト算出手段、第２移動コスト算出手段、第３移動コス
ト算出手段および第４移動コスト算出手段による算出は、第１移動体、第２移動体および
合流地点のすべての組み合わせについて必ずしも行う必要はない。以下、形態８の移動印
刷サービス提供システムにおいて同じである。
【００３０】
〔形態６〕  さらに、形態６の移動印刷サービス提供システムは、形態２の移動印刷サ
ービス提供システムにおいて、
さらに、前記第２移動体が保有する資材に関する資材情報を取得する資材情報取得手段
を備え、
前記経由判定手段は、前記納品指示情報取得手段で取得した納品指示情報および前記資
材情報取得手段で取得した資材情報に基づいて、前記第２移動体が前記第２工程の実施に
必要な資材を保有しているか否かを判定し、
前記管理手段は、前記経由判定手段で必要な資材を保有していないと判定したときは、
前記必要な資材を補給可能な前記経由地点を経由する前記移動計画を行うことを特徴とす
る。
【００３１】
このような構成であれば、資材情報取得手段により、第２移動体が保有する資材に関す
る資材情報が取得され、経由判定手段により、取得された納品指示情報および資材情報に
基づいて、第２移動体が第２工程の実施に必要な資材を保有しているか否かが判定される
。その結果、必要な資材を保有していないと判定されると、管理手段により、必要な資材
を補給可能な経由地点を経由する移動計画が行われる。
これにより、第２移動体が必要な資材を保有していない場合に、移動計画を効率的に行
うことができるという効果が得られる。
【００３２】
〔形態７〕  さらに、形態７の移動印刷サービス提供システムは、形態６の移動印刷サ
ービス提供システムにおいて、
複数の前記第１移動体を通信可能に接続し、
さらに、前記第１移動体が前記第２移動体との合流地点まで移動するのに要する移動コ
ストを算出する第１移動コスト算出手段と、前記第２移動体が前記合流地点から前記納品
先まで移動するのに要する移動コストを算出する第２移動コスト算出手段と、前記第２移
動体が前記経由地点を経由して前記合流地点から前記納品先まで移動するのに要する移動
コストを算出する第３移動コスト算出手段とを備え、
前記管理手段は、前記第１移動体の実施結果を得るための第１工程実施処理および前記
第２移動体の実施結果を得るための第２工程実施処理を割り当てる前記第１移動体および
前記第２移動体のすべての組み合わせについて、前記経由判定手段で必要な資材を保有し
ていると判定したときは、前記第１移動コスト算出手段および前記第２移動コスト算出手
段の算出結果を、前記経由判定手段で必要な資材を保有していないと判定したときは、前
記第１移動コスト算出手段および前記第３移動コスト算出手段の算出結果を取得する算出
結果取得手段と、前記算出結果取得手段で取得した算出結果に基づいて、前記移動コスト
の合計が最小となる前記第１移動体および前記第２移動体の組み合わせを決定し、当該組
み合わせについて前記移動計画および前記工程実施計画を決定する計画決定手段とを備え
ることを特徴とする。
【００３３】
このような構成であれば、第１移動コスト算出手段により、第１移動体が合流地点まで
移動するのに要する移動コストが算出され、第２移動コスト算出手段により、第２移動体
が合流地点から納品先まで移動するのに要する移動コストが算出される。また、第３移動
コスト算出手段により、第２移動体が経由地点を経由して合流地点から納品先まで移動す
るのに要する移動コストが算出される。
【００３４】
次いで、算出結果取得手段により、第１工程実施処理および第２工程実施処理を割り当
てる第１移動体および第２移動体のすべての組み合わせについて、第２移動体が必要な資
材を保有していると判定されると、第１移動コスト算出手段および第２移動コスト算出手
段の算出結果が取得される。これに対し、第２移動体が必要な資材を保有していないと判
定されると、第１移動コスト算出手段および第３移動コスト算出手段の算出結果が取得さ
れる。
【００３５】
そして、算出結果が取得されると、計画決定手段により、取得された算出結果に基づい
て、移動コストの合計が最小となる第１移動体および第２移動体の組み合わせが決定され
、その組み合わせについて移動計画および工程実施計画が決定される。
これにより、移動コストの合計が最小となる第１移動体および第２移動体の組み合わせ
について移動計画および工程実施計画を決定するので、移動コストを低減することができ
るという効果が得られる。
【００３６】
〔形態８〕  さらに、形態８の移動印刷サービス提供システムは、形態６の移動印刷サ
ービス提供システムにおいて、
複数の前記第１移動体を通信可能に接続し、
前記第１移動体が前記第２移動体との合流地点まで移動するのに要する移動コストを算
出する第１移動コスト算出手段と、前記第２移動体が前記合流地点まで移動するのに要す
る移動コストを算出する第２移動コスト算出手段と、前記第２移動体が前記合流地点から
前記納品先まで移動するのに要する移動コストを算出する第３移動コスト算出手段と、前
記第２移動体が前記経由地点を経由して前記合流地点または前記納品先まで移動するのに
要する移動コストを算出する第４移動コスト算出手段とを備え、
前記管理手段は、前記第１移動体の実施結果を得るための第１工程実施処理および前記
第２移動体の実施結果を得るための第２工程実施処理を割り当てる前記第１移動体および
前記第２移動体、並びに複数の前記合流地点のすべての組み合わせについて、前記経由判
定手段で必要な資材を保有していると判定したときは、前記第１移動コスト算出手段、前
記第２移動コスト算出手段および前記第３移動コスト算出手段の算出結果を、前記経由判
定手段で必要な資材を保有していないと判定したときは、前記第１移動コスト算出手段、
前記第４移動コスト算出手段、および前記第２移動コスト算出手段または前記第３移動コ
スト算出手段の算出結果を取得する算出結果取得手段と、前記算出結果取得手段で取得し
た算出結果に基づいて、前記移動コストの合計が最小となる前記第１移動体、前記第２移
動体および前記合流地点の組み合わせを決定し、当該組み合わせについて前記移動計画お
よび前記工程実施計画を決定する計画決定手段とを備えることを特徴とする。
【００３７】
このような構成であれば、第１移動コスト算出手段により、第１移動体が合流地点まで
移動するのに要する移動コストが算出され、第２移動コスト算出手段により、第２移動体
が合流地点まで移動するのに要する移動コストが算出される。また、第３移動コスト算出
手段により、第２移動体が合流地点から納品先まで移動するのに要する移動コストが算出
され、第４移動コスト算出手段により、第２移動体が経由地点を経由して合流地点または
納品先まで移動するのに要する移動コストが算出される。
【００３８】
次いで、算出結果取得手段により、第１工程実施処理および第２工程実施処理を割り当
てる第１移動体および第２移動体、並びに複数の合流地点のすべての組み合わせについて
、第１移動体が必要な資材を保有していると判定されると、第１移動コスト算出手段、第
２移動コスト算出手段および第３移動コスト算出手段の算出結果が取得される。これに対
し、第１移動体が必要な資材を保有していないと判定されると、第１移動コスト算出手段
、第４移動コスト算出手段、および第２移動コスト算出手段または第３移動コスト算出手
段の算出結果が取得される。
【００３９】
そして、算出結果が取得されると、計画決定手段により、取得された算出結果に基づい
て、移動コストの合計が最小となる第１移動体、第２移動体および合流地点の組み合わせ
が決定され、その組み合わせについて移動計画および工程実施計画が決定される。
これにより、移動コストの合計が最小となる第１移動体、第２移動体および合流地点の
組み合わせについて移動計画および工程実施計画を決定するので、移動コストを低減する
ことができるという効果が得られる。
【００４０】
〔形態９〕  一方、上記目的を達成するために、形態９の移動印刷サービス提供プログ
ラムは、
印刷または印刷後処理に関する工程を実施する工程実施装置を備える移動体を通信可能
に複数接続し、前記移動体において前記工程を実施する移動印刷サービスを提供する移動
印刷サービス提供プログラムであって、
印刷または印刷後処理の仕様を含む納品指示情報を取得する納品指示情報取得ステップ
と、前記移動体が経由地点を経由する必要があるか否かを判定する経由判定ステップと、
前記納品指示情報取得ステップで取得した納品指示情報に基づいて前記複数の移動体の工
程実施計画を、前記経由判定ステップの判定結果に基づいて前記複数の移動体の移動計画
を行う管理ステップとからなる処理をコンピュータに実行させるためのプログラムを含む
ことを特徴とする。
このような構成であれば、コンピュータによってプログラムが読み取られ、読み取られ
たプログラムに従ってコンピュータが処理を実行すると、形態１の移動印刷サービス提供
システムと同等の作用および効果が得られる。
【００４１】
〔形態１０〕  さらに、形態１０の移動印刷サービス提供プログラムは、
印刷または印刷後処理に関する第１工程を実施する第１工程実施装置を備える第１移動
体と、前記第１工程の後工程であって印刷または印刷後処理に関する第２工程を実施する
第２工程実施装置を備える第２移動体とを通信可能に接続し、前記第１移動体において前
記第１工程を実施し、前記第１移動体の実施結果を前記第２移動体に引き渡し、前記第２
移動体において前記第２工程を実施し、前記第２移動体の実施結果を所定の納品先に納品
する移動印刷サービスを提供する移動印刷サービス提供プログラムであって、
印刷および印刷後処理の仕様、並びに前記納品先の位置を含む納品指示情報を取得する
納品指示情報取得ステップと、前記第１移動体または前記第２移動体が経由地点を経由す
る必要があるか否かを判定する経由判定ステップと、前記納品指示情報取得ステップで取
得した納品指示情報に基づいて前記第１移動体および前記第２移動体の工程実施計画を、
前記納品指示情報取得ステップで取得した納品指示情報および前記経由判定ステップの判
定結果に基づいて前記第１移動体および前記第２移動体の移動計画を行う管理ステップと
からなる処理をコンピュータに実行させるためのプログラムを含むことを特徴とする。
このような構成であれば、コンピュータによってプログラムが読み取られ、読み取られ
たプログラムに従ってコンピュータが処理を実行すると、形態２の移動印刷サービス提供
システムと同等の作用および効果が得られる。
【００４２】
〔形態１１〕  さらに、形態１１の移動印刷サービス提供プログラムは、形態１０の移
動印刷サービス提供プログラムにおいて、
さらに、前記第１移動体が保有する資材に関する資材情報を取得する資材情報取得ステ
ップからなる処理をコンピュータに実行させるためのプログラムを含み、
前記経由判定ステップは、前記納品指示情報取得ステップで取得した納品指示情報およ
び前記資材情報取得ステップで取得した資材情報に基づいて、前記第１移動体が前記第１
工程の実施に必要な資材を保有しているか否かを判定し、
前記管理ステップは、前記経由判定ステップで必要な資材を保有していないと判定した
ときは、前記必要な資材を補給可能な前記経由地点を経由する前記移動計画を行うことを
特徴とする。
このような構成であれば、コンピュータによってプログラムが読み取られ、読み取られ
たプログラムに従ってコンピュータが処理を実行すると、形態３の移動印刷サービス提供
システムと同等の作用および効果が得られる。
【００４３】
〔形態１２〕  さらに、形態１２の移動印刷サービス提供プログラムは、形態１１の移
動印刷サービス提供プログラムにおいて、
複数の前記第１移動体を通信可能に接続し、
さらに、前記第１移動体が前記第２移動体との合流地点まで移動するのに要する移動コ
ストを算出する第１移動コスト算出ステップと、前記第２移動体が前記合流地点から前記
納品先まで移動するのに要する移動コストを算出する第２移動コスト算出ステップと、前
記第１移動体が前記経由地点を経由して前記合流地点まで移動するのに要する移動コスト
を算出する第３移動コスト算出ステップとからなる処理をコンピュータに実行させるため
のプログラムを含み、
前記管理ステップは、前記第１移動体の実施結果を得るための第１工程実施処理および
前記第２移動体の実施結果を得るための第２工程実施処理を割り当てる前記第１移動体お
よび前記第２移動体のすべての組み合わせについて、前記経由判定ステップで必要な資材
を保有していると判定したときは、前記第１移動コスト算出ステップおよび前記第２移動
コスト算出ステップの算出結果を、前記経由判定ステップで必要な資材を保有していない
と判定したときは、前記第３移動コスト算出ステップおよび前記第２移動コスト算出ステ
ップの算出結果を取得する算出結果取得ステップと、前記算出結果取得ステップで取得し
た算出結果に基づいて、前記移動コストの合計が最小となる前記第１移動体および前記第
２移動体の組み合わせを決定し、当該組み合わせについて前記移動計画および前記工程実
施計画を決定する計画決定ステップとを含むことを特徴とする。
【００４４】
このような構成であれば、コンピュータによってプログラムが読み取られ、読み取られ
たプログラムに従ってコンピュータが処理を実行すると、形態４の移動印刷サービス提供
システムと同等の作用および効果が得られる。
ここで、第１移動コスト算出ステップ、第２移動コスト算出ステップまたは第３移動コ
スト算出ステップの算出結果は、第１工程実施処理および第２工程実施処理を割り当てる
第１移動体および第２移動体のすべての組み合わせについて取得するが、第１移動コスト
算出ステップ、第２移動コスト算出ステップおよび第３移動コスト算出ステップの算出は
、第１移動体および第２移動体のすべての組み合わせについて必ずしも行う必要はない。
以下、形態１５の移動印刷サービス提供プログラム、および形態２０の移動印刷サービス
提供方法において同じである。
【００４５】
〔形態１３〕  さらに、形態１３の移動印刷サービス提供プログラムは、形態１１の移
動印刷サービス提供プログラムにおいて、
複数の前記第１移動体を通信可能に接続し、
前記第１移動体が前記第２移動体との合流地点まで移動するのに要する移動コストを算
出する第１移動コスト算出ステップと、前記第２移動体が前記合流地点まで移動するのに
要する移動コストを算出する第２移動コスト算出ステップと、前記第２移動体が前記合流
地点から前記納品先まで移動するのに要する移動コストを算出する第３移動コスト算出ス
テップと、前記第１移動体が前記経由地点を経由して前記合流地点まで移動するのに要す
る移動コストを算出する第４移動コスト算出ステップとからなる処理をコンピュータに実
行させるためのプログラムを含み、
前記管理ステップは、前記第１移動体の実施結果を得るための第１工程実施処理および
前記第２移動体の実施結果を得るための第２工程実施処理を割り当てる前記第１移動体お
よび前記第２移動体、並びに複数の前記合流地点のすべての組み合わせについて、前記経
由判定ステップで必要な資材を保有していると判定したときは、前記第１移動コスト算出
ステップ、前記第２移動コスト算出ステップおよび前記第３移動コスト算出ステップの算
出結果を、前記経由判定ステップで必要な資材を保有していないと判定したときは、前記
第４移動コスト算出ステップ、前記第２移動コスト算出ステップおよび前記第３移動コス
ト算出ステップの算出結果を取得する算出結果取得ステップと、前記算出結果取得ステッ
プで取得した算出結果に基づいて、前記移動コストの合計が最小となる前記第１移動体、
前記第２移動体および前記合流地点の組み合わせを決定し、当該組み合わせについて前記
移動計画および前記工程実施計画を決定する計画決定ステップとを含むことを特徴とする
。
【００４６】
このような構成であれば、コンピュータによってプログラムが読み取られ、読み取られ
たプログラムに従ってコンピュータが処理を実行すると、形態５の移動印刷サービス提供
システムと同等の作用および効果が得られる。
ここで、第１移動コスト算出ステップ、第２移動コスト算出ステップ、第３移動コスト
算出ステップまたは第４移動コスト算出ステップの算出結果は、第１工程実施処理および
第２工程実施処理を割り当てる第１移動体および第２移動体、並びに複数の合流地点のす
べての組み合わせについて取得するが、第１移動コスト算出ステップ、第２移動コスト算
出ステップ、第３移動コスト算出ステップおよび第４移動コスト算出ステップの算出は、
第１移動体、第２移動体および合流地点のすべての組み合わせについて必ずしも行う必要
はない。以下、形態１６の移動印刷サービス提供プログラム、並びに形態２１および２４
の移動印刷サービス提供方法において同じである。
【００４７】
〔形態１４〕  さらに、形態１４の移動印刷サービス提供プログラムは、形態１０の移
動印刷サービス提供プログラムにおいて、
さらに、前記第２移動体が保有する資材に関する資材情報を取得する資材情報取得ステ
ップからなる処理をコンピュータに実行させるためのプログラムを含み、
前記経由判定ステップは、前記納品指示情報取得ステップで取得した納品指示情報およ
び前記資材情報取得ステップで取得した資材情報に基づいて、前記第２移動体が前記第２
工程の実施に必要な資材を保有しているか否かを判定し、
前記管理ステップは、前記経由判定ステップで必要な資材を保有していないと判定した
ときは、前記必要な資材を補給可能な前記経由地点を経由する前記移動計画を行うことを
特徴とする。
このような構成であれば、コンピュータによってプログラムが読み取られ、読み取られ
たプログラムに従ってコンピュータが処理を実行すると、形態６の移動印刷サービス提供
システムと同等の作用および効果が得られる。
【００４８】
〔形態１５〕  さらに、形態１５の移動印刷サービス提供プログラムは、形態１４の移
動印刷サービス提供プログラムにおいて、
複数の前記第１移動体を通信可能に接続し、
さらに、前記第１移動体が前記第２移動体との合流地点まで移動するのに要する移動コ
ストを算出する第１移動コスト算出ステップと、前記第２移動体が前記合流地点から前記
納品先まで移動するのに要する移動コストを算出する第２移動コスト算出ステップと、前
記第２移動体が前記経由地点を経由して前記合流地点から前記納品先まで移動するのに要
する移動コストを算出する第３移動コスト算出ステップとからなる処理をコンピュータに
実行させるためのプログラムを含み、
前記管理ステップは、前記第１移動体の実施結果を得るための第１工程実施処理および
前記第２移動体の実施結果を得るための第２工程実施処理を割り当てる前記第１移動体お
よび前記第２移動体のすべての組み合わせについて、前記経由判定ステップで必要な資材
を保有していると判定したときは、前記第１移動コスト算出ステップおよび前記第２移動
コスト算出ステップの算出結果を、前記経由判定ステップで必要な資材を保有していない
と判定したときは、前記第１移動コスト算出ステップおよび前記第３移動コスト算出ステ
ップの算出結果を取得する算出結果取得ステップと、前記算出結果取得ステップで取得し
た算出結果に基づいて、前記移動コストの合計が最小となる前記第１移動体および前記第
２移動体の組み合わせを決定し、当該組み合わせについて前記移動計画および前記工程実
施計画を決定する計画決定ステップとを含むことを特徴とする。
このような構成であれば、コンピュータによってプログラムが読み取られ、読み取られ
たプログラムに従ってコンピュータが処理を実行すると、形態７の移動印刷サービス提供
システムと同等の作用および効果が得られる。
【００４９】
〔形態１６〕  さらに、形態１６の移動印刷サービス提供プログラムは、形態１４の移
動印刷サービス提供プログラムにおいて、
複数の前記第１移動体を通信可能に接続し、
前記第１移動体が前記第２移動体との合流地点まで移動するのに要する移動コストを算
出する第１移動コスト算出ステップと、前記第２移動体が前記合流地点まで移動するのに
要する移動コストを算出する第２移動コスト算出ステップと、前記第２移動体が前記合流
地点から前記納品先まで移動するのに要する移動コストを算出する第３移動コスト算出ス
テップと、前記第２移動体が前記経由地点を経由して前記合流地点または前記納品先まで
移動するのに要する移動コストを算出する第４移動コスト算出ステップとからなる処理を
コンピュータに実行させるためのプログラムを含み、
前記管理ステップは、前記第１移動体の実施結果を得るための第１工程実施処理および
前記第２移動体の実施結果を得るための第２工程実施処理を割り当てる前記第１移動体お
よび前記第２移動体、並びに複数の前記合流地点のすべての組み合わせについて、前記経
由判定ステップで必要な資材を保有していると判定したときは、前記第１移動コスト算出
ステップ、前記第２移動コスト算出ステップおよび前記第３移動コスト算出ステップの算
出結果を、前記経由判定ステップで必要な資材を保有していないと判定したときは、前記
第１移動コスト算出ステップ、前記第４移動コスト算出ステップ、および前記第２移動コ
スト算出ステップまたは前記第３移動コスト算出ステップの算出結果を取得する算出結果
取得ステップと、前記算出結果取得ステップで取得した算出結果に基づいて、前記移動コ
ストの合計が最小となる前記第１移動体、前記第２移動体および前記合流地点の組み合わ
せを決定し、当該組み合わせについて前記移動計画および前記工程実施計画を決定する計
画決定ステップとを含むことを特徴とする。
このような構成であれば、コンピュータによってプログラムが読み取られ、読み取られ
たプログラムに従ってコンピュータが処理を実行すると、形態８の移動印刷サービス提供
システムと同等の作用および効果が得られる。
【００５０】
〔形態１７〕  一方、上記目的を達成するために、形態１７の移動印刷サービス提供方
法は、
印刷または印刷後処理に関する工程を実施する工程実施装置を備える移動体を通信可能
に複数接続し、前記移動体において前記工程を実施する移動印刷サービスを提供する移動
印刷サービス提供方法であって、
印刷または印刷後処理の仕様を含む納品指示情報を取得する納品指示情報取得ステップ
と、前記移動体が経由地点を経由する必要があるか否かを判定する経由判定ステップと、
前記納品指示情報取得ステップで取得した納品指示情報に基づいて前記複数の移動体の工
程実施計画を、前記経由判定ステップの判定結果に基づいて前記複数の移動体の移動計画
を行う管理ステップとを含むことを特徴とする。
これにより、形態１の移動印刷サービス提供システムと同等の効果が得られる。
【００５１】
〔形態１８〕  さらに、形態１８の移動印刷サービス提供方法は、
印刷または印刷後処理に関する第１工程を実施する第１工程実施装置を備える第１移動
体と、前記第１工程の後工程であって印刷または印刷後処理に関する第２工程を実施する
第２工程実施装置を備える第２移動体とを通信可能に接続し、前記第１移動体において前
記第１工程を実施し、前記第１移動体の実施結果を前記第２移動体に引き渡し、前記第２
移動体において前記第２工程を実施し、前記第２移動体の実施結果を所定の納品先に納品
する移動印刷サービスを提供する移動印刷サービス提供方法であって、
印刷および印刷後処理の仕様、並びに前記納品先の位置を含む納品指示情報を取得する
納品指示情報取得ステップと、前記第１移動体または前記第２移動体が経由地点を経由す
る必要があるか否かを判定する経由判定ステップと、前記納品指示情報取得ステップで取
得した納品指示情報に基づいて前記第１移動体および前記第２移動体の工程実施計画を、
前記納品指示情報取得ステップで取得した納品指示情報および前記経由判定ステップの判
定結果に基づいて前記第１移動体および前記第２移動体の移動計画を行う管理ステップと
を含むことを特徴とする。
これにより、形態２の移動印刷サービス提供システムと同等の効果が得られる。
【００５２】
〔形態１９〕  さらに、形態１９の移動印刷サービス提供方法は、形態１８の移動印刷
サービス提供方法において、
さらに、前記第１移動体が保有する資材に関する資材情報を取得する資材情報取得ステ
ップを含み、
前記経由判定ステップは、前記納品指示情報取得ステップで取得した納品指示情報およ
び前記資材情報取得ステップで取得した資材情報に基づいて、前記第１移動体が前記第１
工程の実施に必要な資材を保有しているか否かを判定し、
前記管理ステップは、前記経由判定ステップで必要な資材を保有していないと判定した
ときは、前記必要な資材を補給可能な前記経由地点を経由する前記移動計画を行うことを
特徴とする。
これにより、形態３の移動印刷サービス提供システムと同等の効果が得られる。
【００５３】
〔形態２０〕  さらに、形態２０の移動印刷サービス提供方法は、形態１９の移動印刷
サービス提供方法において、
複数の前記第１移動体を通信可能に接続し、
さらに、前記第１移動体が前記第２移動体との合流地点まで移動するのに要する移動コ
ストを算出する第１移動コスト算出ステップと、前記第２移動体が前記合流地点から前記
納品先まで移動するのに要する移動コストを算出する第２移動コスト算出ステップと、前
記第１移動体が前記経由地点を経由して前記合流地点まで移動するのに要する移動コスト
を算出する第３移動コスト算出ステップとを含み、
前記管理ステップは、前記第１移動体の実施結果を得るための第１工程実施処理および
前記第２移動体の実施結果を得るための第２工程実施処理を割り当てる前記第１移動体お
よび前記第２移動体のすべての組み合わせについて、前記経由判定ステップで必要な資材
を保有していると判定したときは、前記第１移動コスト算出ステップおよび前記第２移動
コスト算出ステップの算出結果を、前記経由判定ステップで必要な資材を保有していない
と判定したときは、前記第３移動コスト算出ステップおよび前記第２移動コスト算出ステ
ップの算出結果を取得する算出結果取得ステップと、前記算出結果取得ステップで取得し
た算出結果に基づいて、前記移動コストの合計が最小となる前記第１移動体および前記第
２移動体の組み合わせを決定し、当該組み合わせについて前記移動計画および前記工程実
施計画を決定する計画決定ステップとを含むことを特徴とする。
これにより、形態４の移動印刷サービス提供システムと同等の効果が得られる。
【００５４】
〔形態２１〕  さらに、形態２１の移動印刷サービス提供方法は、形態１９の移動印刷
サービス提供方法において、
複数の前記第１移動体を通信可能に接続し、
前記第１移動体が前記第２移動体との合流地点まで移動するのに要する移動コストを算
出する第１移動コスト算出ステップと、前記第２移動体が前記合流地点まで移動するのに
要する移動コストを算出する第２移動コスト算出ステップと、前記第２移動体が前記合流
地点から前記納品先まで移動するのに要する移動コストを算出する第３移動コスト算出ス
テップと、前記第１移動体が前記経由地点を経由して前記合流地点まで移動するのに要す
る移動コストを算出する第４移動コスト算出ステップとを含み、
前記管理ステップは、前記第１移動体の実施結果を得るための第１工程実施処理および
前記第２移動体の実施結果を得るための第２工程実施処理を割り当てる前記第１移動体お
よび前記第２移動体、並びに複数の前記合流地点のすべての組み合わせについて、前記経
由判定ステップで必要な資材を保有していると判定したときは、前記第１移動コスト算出
ステップ、前記第２移動コスト算出ステップおよび前記第３移動コスト算出ステップの算
出結果を、前記経由判定ステップで必要な資材を保有していないと判定したときは、前記
第４移動コスト算出ステップ、前記第２移動コスト算出ステップおよび前記第３移動コス
ト算出ステップの算出結果を取得する算出結果取得ステップと、前記算出結果取得ステッ
プで取得した算出結果に基づいて、前記移動コストの合計が最小となる前記第１移動体、
前記第２移動体および前記合流地点の組み合わせを決定し、当該組み合わせについて前記
移動計画および前記工程実施計画を決定する計画決定ステップとを含むことを特徴とする
。
これにより、形態５の移動印刷サービス提供システムと同等の効果が得られる。
【００５５】
〔形態２２〕  さらに、形態２２の移動印刷サービス提供方法は、形態１８の移動印刷
サービス提供方法において、
さらに、前記第２移動体が保有する資材に関する資材情報を取得する資材情報取得ステ
ップを含み、
前記経由判定ステップは、前記納品指示情報取得ステップで取得した納品指示情報およ
び前記資材情報取得ステップで取得した資材情報に基づいて、前記第２移動体が前記第２
工程の実施に必要な資材を保有しているか否かを判定し、
前記管理ステップは、前記経由判定ステップで必要な資材を保有していないと判定した
ときは、前記必要な資材を補給可能な前記経由地点を経由する前記移動計画を行うことを
特徴とする。
これにより、形態６の移動印刷サービス提供システムと同等の効果が得られる。
【００５６】
〔形態２３〕  さらに、形態２３の移動印刷サービス提供方法は、形態２２の移動印刷
サービス提供方法において、
複数の前記第１移動体を通信可能に接続し、
さらに、前記第１移動体が前記第２移動体との合流地点まで移動するのに要する移動コ
ストを算出する第１移動コスト算出ステップと、前記第２移動体が前記合流地点から前記
納品先まで移動するのに要する移動コストを算出する第２移動コスト算出ステップと、前
記第２移動体が前記経由地点を経由して前記合流地点から前記納品先まで移動するのに要
する移動コストを算出する第３移動コスト算出ステップとを含み、
前記管理ステップは、前記第１移動体の実施結果を得るための第１工程実施処理および
前記第２移動体の実施結果を得るための第２工程実施処理を割り当てる前記第１移動体お
よび前記第２移動体のすべての組み合わせについて、前記経由判定ステップで必要な資材
を保有していると判定したときは、前記第１移動コスト算出ステップおよび前記第２移動
コスト算出ステップの算出結果を、前記経由判定ステップで必要な資材を保有していない
と判定したときは、前記第１移動コスト算出ステップおよび前記第３移動コスト算出ステ
ップの算出結果を取得する算出結果取得ステップと、前記算出結果取得ステップで取得し
た算出結果に基づいて、前記移動コストの合計が最小となる前記第１移動体および前記第
２移動体の組み合わせを決定し、当該組み合わせについて前記移動計画および前記工程実
施計画を決定する計画決定ステップとを含むことを特徴とする。
これにより、形態７の移動印刷サービス提供システムと同等の効果が得られる。
【００５７】
〔形態２４〕  さらに、形態２４の移動印刷サービス提供方法は、形態２２の移動印刷
サービス提供方法において、
複数の前記第１移動体を通信可能に接続し、
前記第１移動体が前記第２移動体との合流地点まで移動するのに要する移動コストを算
出する第１移動コスト算出ステップと、前記第２移動体が前記合流地点まで移動するのに
要する移動コストを算出する第２移動コスト算出ステップと、前記第２移動体が前記合流
地点から前記納品先まで移動するのに要する移動コストを算出する第３移動コスト算出ス
テップと、前記第２移動体が前記経由地点を経由して前記合流地点または前記納品先まで
移動するのに要する移動コストを算出する第４移動コスト算出ステップとを含み、
前記管理ステップは、前記第１移動体の実施結果を得るための第１工程実施処理および
前記第２移動体の実施結果を得るための第２工程実施処理を割り当てる前記第１移動体お
よび前記第２移動体、並びに複数の前記合流地点のすべての組み合わせについて、前記経
由判定ステップで必要な資材を保有していると判定したときは、前記第１移動コスト算出
ステップ、前記第２移動コスト算出ステップおよび前記第３移動コスト算出ステップの算
出結果を、前記経由判定ステップで必要な資材を保有していないと判定したときは、前記
第１移動コスト算出ステップ、前記第４移動コスト算出ステップ、および前記第２移動コ
スト算出ステップまたは前記第３移動コスト算出ステップの算出結果を取得する算出結果
取得ステップと、前記算出結果取得ステップで取得した算出結果に基づいて、前記移動コ
ストの合計が最小となる前記第１移動体、前記第２移動体および前記合流地点の組み合わ
せを決定し、当該組み合わせについて前記移動計画および前記工程実施計画を決定する計
画決定ステップとを含むことを特徴とする。
これにより、形態８の移動印刷サービス提供システムと同等の効果が得られる。
【発明を実施するための最良の形態】
【００５８】
以下、本発明の第１の実施の形態を図面を参照しながら説明する。図１ないし図１０は
、本発明に係る移動印刷サービス提供システムおよび移動印刷サービス提供プログラム、
並びに移動印刷サービス提供方法の第１の実施の形態を示す図である。
まず、本実施の形態の概要を説明する。
図１は、本実施の形態の概要を説明するための図である。
【００５９】
本実施の形態は、図１に示すように、印刷装置を搭載した移動印刷車両２００と、製本
装置を搭載した移動製本車両２１０とを利用し、移動印刷サービスを提供する。移動印刷
サービスは、複数の移動印刷車両２００が移動しながら印刷を行い、移動印刷車両２００
の印刷結果を移動製本車両２１０に引き渡し、移動製本車両２１０が移動しながら製本を
行い、移動製本車両２１０の製本結果を所定の納品先に納品する。本実施の形態では、移
動製本車両２１０の位置を合流地点とする。
【００６０】
まず、本発明を適用するネットワークシステムの機能概要を説明する。
図２は、ネットワークシステムの機能概要を示す機能ブロック図である。
ネットワーク１９９には、図２に示すように、複数の移動印刷車両２００と、複数の移
動製本車両２１０と、移動印刷車両２００および移動製本車両２１０（以下、これらを区
別しないときは実行リソースと総称する。）を管理する管理サーバ１００と、複数のコン
テンツサーバ（不図示）とが接続されている。
【００６１】
管理サーバ１００は、実行リソースが印刷処理または製本処理を実行可能か否かを示す
実行可能情報を記憶する実行可能情報記憶部１０と、移動印刷車両２００が保有する資材
に関する資材情報を記憶する資材情報記憶部１２と、経路コストを示す経路コスト情報を
記憶する経路コスト情報記憶部１４とを有して構成されている。
管理サーバ１００は、さらに、実行リソースの移動能力を示す移動能力情報を記憶する
移動能力情報記憶部１６と、印刷に必要な資材を補給可能な経由地点に関する経由地点情
報を記憶する経由地点情報記憶部２０とを有して構成されている。
【００６２】
管理サーバ１００は、さらに、印刷および製本の仕様、納品先の位置、納品期限、並び
にコンテンツの取得先アドレスを含む印刷ジョブを取得する印刷ジョブ取得部２２と、印
刷処理および製本処理を実行可能な実行リソースを検索する実行リソース検索部２４とを
有して構成されている。
実行リソース検索部２４は、印刷ジョブ取得部２２で取得した印刷ジョブ（印刷および
製本の仕様）を解析して必要な印刷処理および製本処理を決定し、実行可能情報記憶部１
０の実行可能情報に基づいて、決定した印刷処理および製本処理を実行可能な実行リソー
スを検索する。
【００６３】
管理サーバ１００は、さらに、資材情報記憶部１２から資材情報を取得する資材情報取
得部２６と、資材情報取得部２６で取得した資材情報に基づいて、移動印刷車両２００が
印刷に必要な資材を保有しているか否かを判定する資材判定部３６とを有して構成されて
いる。
管理サーバ１００は、さらに、移動印刷車両２００の位置から合流地点までの配送経路
上を移動するのに要する経路コスト、移動印刷車両２００の位置から経由地点を経由して
合流地点までの配送経路上を移動するのに要する経路コスト、および合流地点から納品先
までの配送経路上を移動するのに要する経路コストを示す経路コスト情報を経路コスト情
報記憶部１４から取得する経路コスト情報取得部２８と、実行リソース検索部２４で索出
した実行リソース（以下、対象実行リソースという。）の移動能力情報を移動能力情報記
憶部１６から取得する移動能力情報取得部３０とを有して構成されている。
【００６４】
管理サーバ１００は、さらに、経路コスト情報取得部２８および移動能力情報取得部３
０で取得した経路コスト情報および移動能力情報に基づいて、対象実行リソースのうち移
動印刷車両２００が合流地点まで移動するのに要する移動コストを算出する移動コスト算
出部４０と、経路コスト情報取得部２８および移動能力情報取得部３０で取得した経路コ
スト情報および移動能力情報に基づいて、対象実行リソースのうち移動製本車両２１０が
合流地点から納品先まで移動するのに要する移動コストを算出する移動コスト算出部４４
とを有して構成されている。
【００６５】
管理サーバ１００は、さらに、経由地点情報記憶部２０から経由地点情報を取得する経
由地点情報取得部３４と、経由地点情報取得部３４、経路コスト情報取得部２８および移
動能力情報取得部３０で取得した経由地点情報、経路コスト情報および移動能力情報に基
づいて、対象実行リソースのうち移動印刷車両２００が経由地点を経由して合流地点まで
移動するのに要する移動コストを算出する移動コスト算出部４５を有して構成されている
。
【００６６】
管理サーバ１００は、さらに、対象実行リソースのうち印刷処理および製本処理を割り
当てる実行リソースのすべての組み合わせについて、資材判定部３６で必要な資材を保有
していると判定したときは、移動コスト算出部４０、４４の算出結果を、資材判定部３６
で必要な資材を保有していないと判定したときは、移動コスト算出部４５、４４の算出結
果を取得する算出結果取得部４６を有して構成されている。
【００６７】
管理サーバ１００は、さらに、算出結果取得部４６で取得した算出結果に基づいて、移
動コストの合計が最小となる実行リソースの組み合わせを決定し、その組み合わせについ
て移動計画、印刷計画および製本計画を決定する計画決定部４８を有して構成されている
。
管理サーバ１００は、さらに、印刷ジョブ取得部２２で取得した印刷ジョブに含まれる
取得先アドレスに基づいてコンテンツサーバからコンテンツを取得するコンテンツ取得部
５０と、コンテンツ取得部５０で取得したコンテンツに基づいて印刷データを生成する印
刷データ生成部５２とを有して構成されている。
【００６８】
管理サーバ１００は、さらに、計画決定部４８で決定した移動計画を示す移動計画情報
を、印刷処理および製本処理を割り当てる実行リソースに送信する移動計画情報送信部５
４と、計画決定部４８で決定した印刷計画を示す印刷計画情報および印刷データ生成部５
２で生成した印刷データを、印刷処理を割り当てる移動印刷車両２００に送信する印刷計
画情報送信部５６と、計画決定部４８で決定した製本計画を示す製本計画情報を、製本処
理を割り当てる移動製本車両２１０に送信する製本計画情報送信部５８とを有して構成さ
れている。
【００６９】
次に、移動印刷車両２００の機能概要を説明する。
移動印刷車両２００は、例えば、ワンボックスタイプやトレーラタイプの自動車等から
なり、図示しないが、車両本体と、車両本体の下部に回転可能に取り付けられた複数の車
軸と、各車軸の両端にそれぞれ取り付けられた複数の車輪と、エンジンと、エンジンの動
力を車軸に伝達する動力伝達機構とを有して移動機構が構成されている。なお、移動印刷
車両２００は、他の自動車により牽引されるコンテナとして構成することもできる。
【００７０】
車両本体には、図２に示すように、移動計画情報を受信する移動計画情報受信部６０と
、移動計画情報受信部６０で受信した移動計画情報に基づいて移動案内を行うカーナビ等
の移動案内部６２と、印刷計画情報および印刷データを受信する印刷計画情報受信部６４
と、印刷装置６６と、印刷計画情報受信部６４で受信した印刷計画情報および印刷データ
に基づいて印刷装置６６を制御する印刷制御部６８とが搭載されている。その他、印刷用
紙を搭載する用紙ストック、印刷済みの用紙を搭載する排紙ストック、および印刷に使用
するインクを搭載するインクストック等も搭載されている。また、車両本体には、オペレ
ータが車内で印刷作業を行えるスペースが確保されている。
【００７１】
移動印刷車両２００は、独自に電源供給可能なように発電装置やバッテリーなどを備え
るのが好ましいが、停車時に他の建物などからコンセントを接続して電源供給ができるよ
うに構成してもよい。また、印刷装置６６が例えばオフセット印刷などのように何らかの
水を使用するタイプであれば、給水設備を内蔵するか、または外部の水道などと接続でき
る配管設備を備えてもよい。
【００７２】
移動印刷車両２００は、印刷装置６６における排紙ストック近傍に開閉ドアを備え、印
刷結果である印刷物を車外に容易に取り出せる構造になっている。すなわち、印刷装置６
６の排紙ストックを開閉ドアに向けて配置し、車外からアクセス可能とするのが好ましい
。
次に、移動製本車両２１０の機能概要を説明する。
【００７３】
移動製本車両２１０は、移動印刷車両２００と同様の移動機構を有して構成されている
。
車両本体には、図２に示すように、移動計画情報を受信する移動計画情報受信部７０と
、移動計画情報受信部７０で受信した移動計画情報に基づいて移動案内を行うカーナビ等
の移動案内部７２と、製本計画情報を受信する製本計画情報受信部７４と、製本装置７６
と、製本計画情報受信部７４で受信した製本計画情報に基づいて製本装置７６を制御する
製本制御部７８とが搭載されている。また、車両本体には、オペレータが車内で製本作業
を行えるスペースが確保されている。
【００７４】
製本装置としては、例えば、折機、中綴じ製本機、無線綴じ製本機、上製本機、断裁機
、封緘機等があるが、本実施の形態では、製本装置７６としてそれらの機種を包含するも
のとする。
移動製本車両２１０は、独自に電源供給可能なように発電装置やバッテリーなどを備え
るのが好ましいが、停車時に他の建物などからコンセントを接続して電源供給ができるよ
うに構成してもよい。
【００７５】
移動製本車両２１０は、製本装置７６における排出ストック近傍に開閉ドアを備え、製
本結果である製品を車外に容易に取り出せる構造になっている。すなわち、製本装置７６
の排出ストックを開閉ドアに向けて配置し、車外からアクセス可能とするのが好ましい。
次に、管理サーバ１００の構成を詳細に説明する。
図３は、管理サーバ１００のハードウェア構成を示す図である。
【００７６】
管理サーバ１００は、図３に示すように、制御プログラムに基づいて演算およびシステ
ム全体を制御するＣＰＵ８０と、所定領域にあらかじめＣＰＵ８０の制御プログラム等を
格納しているＲＯＭ８２と、ＲＯＭ８２等から読み出したデータやＣＰＵ８０の演算過程
で必要な演算結果を格納するためのＲＡＭ８４と、外部装置に対してデータの入出力を媒
介するＩ／Ｆ８８とで構成されており、これらは、データを転送するための信号線である
バス８９で相互にかつデータ授受可能に接続されている。
【００７７】
Ｉ／Ｆ８８には、外部装置として、ヒューマンインターフェースとしてデータの入力が
可能なキーボードやマウス等からなる入力装置９０と、データやテーブル等をファイルと
して格納する記憶装置９２と、画像信号に基づいて画面を表示する表示装置９４と、ネッ
トワーク１９９に接続するための信号線とが接続されている。
次に、印刷ジョブのデータ構造を説明する。
【００７８】
図４は、印刷ジョブのデータ構造を示す図である。
印刷ジョブは、図４に示すように、所定の開始タグ５００と終了タグ５０２との間に、
開始タグと終了タグとのタグセットを入れ子状に記述することにより、納品仕様、印刷処
理および製本処理を設定する。
開始タグ５００および終了タグ５０２の間には、納品仕様を設定するタグセット５０４
が記述されている。
【００７９】
タグセット５０４の間には、受注日時、コンテンツの納品期限であるコンテンツ納期、
製品の納品期限である製品納期、納品先の位置および製品の数量がそれぞれ対応のタグセ
ットにより記述されている。
開始タグ５００および終了タグ５０２の間には、さらに、印刷処理を設定するタグセッ
ト５０６、５０８と、製本処理を設定するタグセット５１０とが記述されている。
【００８０】
タグセット５０６、５０８の間には、印刷処理の内容、用紙サイズ、用紙種類、仕上が
りサイズ、コンテンツの取得先アドレスおよび印刷物の出力先がそれぞれ対応のタグセッ
トにより記述されている。
タグセット５１０の間には、製本処理の内容、用紙サイズに対応する封筒サイズ、印刷
物の出力先に対応する封筒元、用紙サイズに対応する内容物サイズ、印刷物の出力先に対
応する内容物元および製品の出力先がそれぞれ対応のタグセットにより記述されている。
【００８１】
図４の例では、印刷処理１として、「http://some.server/content.pdf」のＵＲＬ（Un
iform Resource Locator）により特定されるコンテンツサーバからコンテンツを取得し、
Ａ６サイズの厚紙光沢紙に印刷を行うことが規定されている。また、印刷処理２として、
「http://some.server/addressing.csv」のＵＲＬにより特定されるコンテンツサーバか
らＣＳＶ形式（カンマ区切り形式）のコンテンツを取得し、Ａ６封筒に可変印刷を行うこ
とが規定されている。また、印刷処理１および印刷処理２で使用するコンテンツがコンテ
ンツサーバに準備されるのは、2005年12月20日10時であることが規定されている。また、
製本処理として、印刷処理２で印刷した封筒に、印刷処理１で印刷した内容物を封緘し、
この製品を、2005年12月20日12時までに、○×郵便局に４００セット納品することが規定
されている。
【００８２】
なお、図４の例では、２つの印刷処理および１つの製本処理を設定した場合を示したが
、これに限らず、印刷ジョブには、任意の数の印刷処理および製本処理を設定することが
できる。
次に、記憶装置９２のデータ構造を説明する。
記憶装置９２は、実行可能情報記憶部１０を構成し、各実行リソースごとに実行可能情
報を登録した実行可能情報テーブル（不図示）を記憶している。
【００８３】
記憶装置９２は、さらに、資材情報記憶部１２を構成し、各実行リソースごとに資材情
報を登録した資材情報テーブル４００を記憶している。
図５は、資材情報テーブル４００のデータ構造を示す図である。
資材情報テーブル４００には、図５に示すように、各移動印刷車両２００ごとに１つの
レコードが登録されている。各レコードは、Ａ６サイズの厚紙光沢紙、Ａ６サイズの上質
封筒、Ａ３サイズのマット紙およびＡ４サイズのマット紙等の印刷用紙の各種別ごとに数
量を登録したフィールドを含んで構成されている。なお、印刷用紙は単なる一例であり、
インク、トナーその他の消耗品を管理してもよい。
【００８４】
記憶装置９２は、さらに、経路コスト情報記憶部１４を構成し、移動印刷車両２００の
位置から合流地点までの配送経路上を移動するのに要する経路コストを示す経路コスト情
報、移動印刷車両２００の位置から経由地点を経由して合流地点までの配送経路上を移動
するのに要する経路コストを示す経路コスト情報、および合流地点から納品先までの配送
経路上を移動するのに要する経路コストを示す経路コスト情報を記憶している。
【００８５】
経路コスト情報は、配送経路の距離、混雑状況および勾配等に基づいて算出された数値
（以下、経路コスト係数という。）からなり、経路コスト係数の値が大きいほど経路コス
トが大きいことを示す。ここで、移動印刷車両２００の位置から合流地点までの配送経路
の距離は、移動印刷車両２００の位置情報、合流地点の位置情報および地図情報に基づい
て算出することができる。また、移動印刷車両２００の位置から経由地点を経由して合流
地点までの配送経路の距離は、移動印刷車両２００の位置情報、経由地点情報（経由地点
の位置）、合流地点の位置情報および地図情報に基づいて算出することができる。また、
合流地点から納品先までの配送経路の距離は、合流地点の位置情報、印刷ジョブ（納品先
の位置）および地図情報に基づいて算出することができる。また、勾配は、地図情報に基
づいて、混雑状況は、道路情報に基づいてそれぞれ算出することができる。道路情報は、
例えば、ＶＩＣＳ（Vehicle Information and Communication System）センタから取得す
ることができる。
【００８６】
記憶装置９２は、さらに、移動能力情報記憶部１６を構成し、各実行リソースごとに移
動能力情報を記憶している。移動能力情報は、実行リソースの燃費、維持費、減価償却費
等に基づいて算出された数値（以下、移動能力係数という。）からなり、移動能力係数の
値が小さいほど移動能力が優れていることを示す。
記憶装置９２は、さらに、経由地点情報記憶部２０を構成し、各経由地点ごとに経由地
点情報を記憶している。経由地点情報は、経由地点が保有する資材の種別、種別ごとの数
量および経由地点の位置を含む。
【００８７】
次に、ＣＰＵ８０で実行される処理を説明する。
ＣＰＵ８０は、マイクロプロセッシングユニット等からなり、ＲＯＭ８２の所定領域に
格納されている所定のプログラムを起動させ、そのプログラムに従って、図６のフローチ
ャートに示す移動印刷サービス提供処理を実行する。
図６は、移動印刷サービス提供処理を示すフローチャートである。
【００８８】
移動印刷サービス提供処理は、ＣＰＵ８０において実行されると、図６に示すように、
まず、ステップＳ１００に移行する。
ステップＳ１００では、印刷ジョブを取得し、ステップＳ１０２に移行して、取得した
印刷ジョブを解析して必要な印刷処理および製本処理を決定し、実行可能情報テーブルに
基づいて、決定した印刷処理および製本処理を実行可能な実行リソースを検索し、ステッ
プＳ１０４に移行する。
【００８９】
ステップＳ１０４では、索出した対象実行リソースのうち印刷処理および製本処理を割
り当てる実行リソースの組み合わせについて移動計画、印刷計画および製本計画を決定す
る計画決定処理を実行し、ステップＳ１０６に移行する。
ステップＳ１０６では、取得した印刷ジョブに含まれる取得先アドレスに基づいてコン
テンツサーバからコンテンツを取得し、ステップＳ１０８に移行して、取得したコンテン
ツに基づいて印刷データを生成し、ステップＳ１１０に移行する。
【００９０】
ステップＳ１１０では、ステップＳ１０４の計画決定処理で決定した移動計画を示す移
動計画情報を生成する。移動計画情報は、例えば、配送経路に沿って実行リソースを合流
地点または納品先に案内するための案内情報、並びに出発時刻および到着時刻を示すスケ
ジュール情報を含む。移動計画情報は、複数の実行リソースに対して１つ生成してもよい
し、各実行リソースごとに生成してもよい。
【００９１】
次いで、ステップＳ１１２に移行して、ステップＳ１０４の計画決定処理で決定した印
刷計画を示す印刷計画情報を生成する。印刷計画情報は、例えば、印刷ジョブのタグセッ
ト５０６、５０８により記述された設定情報、並びに印刷開始時刻および印刷終了時刻を
示すスケジュール情報を含む。印刷計画情報は、複数の移動印刷車両２００に対して１つ
生成してもよいし、各移動印刷車両２００ごとに生成してもよい。
【００９２】
次いで、ステップＳ１１４に移行して、ステップＳ１０４の計画決定処理で決定した製
本計画を示す製本計画情報を生成する。製本計画情報は、例えば、印刷ジョブのタグセッ
ト５１０により記述された設定情報、並びに製本開始時刻および製本終了時刻を示すスケ
ジュール情報を含む。製本計画情報は、複数の移動製本車両２１０に対して１つ生成して
もよいし、各移動製本車両２１０ごとに生成してもよい。
【００９３】
次いで、ステップＳ１１６に移行して、生成した移動計画情報を、印刷処理および製本
処理を割り当てる実行リソースに送信し、ステップＳ１１８に移行して、生成した印刷計
画情報および印刷データを、印刷処理を割り当てる移動印刷車両２００に送信し、ステッ
プＳ１２０に移行して、生成した製本計画情報を、製本処理を割り当てる移動製本車両２
１０に送信し、一連の処理を終了して元の処理に復帰させる。
【００９４】
次に、ステップＳ１０４の計画決定処理を詳細に説明する。
図７は、ステップＳ１０４の計画決定処理を示すフローチャートである。
計画決定処理は、ステップＳ１０４において実行されると、図７に示すように、まず、
ステップＳ２００に移行する。
ステップＳ２００では、対象実行リソースのなかから印刷処理および製本処理を割り当
てる実行リソースの組み合わせを選択し、ステップＳ２０２に移行して、選択した組み合
わせに係る移動印刷車両２００のなかからいずれか（以下、選択移動印刷車両２００とい
う。）を選択し、ステップＳ２０４に移行する。
【００９５】
ステップＳ２０４では、選択移動印刷車両２００の移動能力情報を記憶装置９２から取
得し、ステップＳ２０６に移行して、選択移動印刷車両２００の資材情報を記憶装置９２
から取得し、ステップＳ２０８に移行する。
ステップＳ２０８では、取得した資材情報に基づいて、選択移動印刷車両２００が印刷
に必要な資材を保有しているか否かを判定し、必要な資材を保有していると判定したとき
(Yes)は、ステップＳ２１０に移行して、選択移動印刷車両２００の位置から合流地点ま
での配送経路上を移動するのに要する経路コストを示す経路コスト情報を記憶装置９２か
ら取得し、ステップＳ２１２に移行する。
【００９６】
ステップＳ２１２では、ステップＳ２０４、Ｓ２１０で取得した移動能力情報および経
路コスト情報に基づいて、選択移動印刷車両２００が合流地点まで移動するのに要する移
動コストを算出する。移動コストは、経路コスト係数に移動能力係数を乗算することによ
り算出する。したがって、経路コスト係数または移動能力係数が大きいほど移動コストが
大きくなり、コスト高となる。移動コストの算出は、以下のステップでも同様に行う。
【００９７】
次いで、ステップＳ２１４に移行して、未割当の印刷処理のうちいずれかを選択移動印
刷車両２００に割り当て、ステップＳ２１６に移行して、すべての印刷処理についてステ
ップＳ２０２〜Ｓ２１４、Ｓ２３０〜Ｓ２３４の処理が終了したか否かを判定し、すべて
の印刷処理について処理が終了したと判定したとき(Yes)は、ステップＳ２１８に移行す
る。
【００９８】
ステップＳ２１８では、合流地点から納品先までの配送経路上を移動するのに要する経
路コストを示す経路コスト情報を記憶装置９２から取得し、ステップＳ２２０に移行して
、ステップＳ２００で選択した組み合わせに係る移動製本車両２１０（以下、選択移動製
本車両２１０という。）の移動能力情報を記憶装置９２から取得し、ステップＳ２２２に
移行する。
【００９９】
ステップＳ２２２では、ステップＳ２１８、Ｓ２２０で取得した経路コスト情報および
移動能力情報に基づいて、選択移動製本車両２１０が納品先まで移動するのに要する移動
コストを算出し、ステップＳ２２４に移行して、選択移動印刷車両２００に製本処理を割
り当て、ステップＳ２２６に移行する。
ステップＳ２２６では、印刷処理および製本処理を割り当てる実行リソースのすべての
組み合わせについてステップＳ２００〜Ｓ２２４、Ｓ２３０〜Ｓ２３４の処理が終了した
か否かを判定し、すべての組み合わせについて処理が終了したと判定したとき(Yes)は、
ステップＳ２２８に移行する。
【０１００】
ステップＳ２２８では、ステップＳ２１２、Ｓ２２２、Ｓ２３４の算出結果に基づいて
、移動コストの合計が最小となる実行リソースの組み合わせを決定し、その組み合わせに
ついて移動計画、印刷計画および製本計画を決定し、一連の処理を終了して元の処理に復
帰させる。
一方、ステップＳ２２６で、すべての組み合わせについて処理が終了していないと判定
したとき(No)は、ステップＳ２００に移行する。
【０１０１】
一方、ステップＳ２１６で、すべての印刷処理について処理が終了していないと判定し
たとき(No)は、ステップＳ２０２に移行する。
一方、ステップＳ２０８で、必要な資材を保有していないと判定したとき(No)は、ステ
ップＳ２３０に移行して、経由地点情報を記憶装置９２から取得し、ステップＳ２３２に
移行する。
【０１０２】
ステップＳ２３２では、選択移動印刷車両２００の位置から経由地点を経由して合流地
点までの配送経路上を移動するのに要する経路コストを示す経路コスト情報を記憶装置９
２から取得し、ステップＳ２３４に移行して、ステップＳ２０４、Ｓ２３０、Ｓ２３２で
取得した移動能力情報、経由地点情報および経路コスト情報に基づいて、選択移動印刷車
両２００が経由地点を経由して合流地点まで移動するのに要する移動コストを算出し、ス
テップＳ２１４に移行する。
【０１０３】
次に、本実施の形態の動作を説明する。
図８は、実行リソースの現在位置を示す図である。
いま、図８に示すように、移動印刷車両Ａ、Ｂが移動製本車両Ｃから離れたところに位
置し、移動製本車両Ｃの現在位置である合流地点までの配送経路については経路コスト係
数がいずれも「３」であるとする。また、経由地点が合流地点から離れたところに位置し
、移動印刷車両Ａまたは合流地点までの配送経路については経路コスト係数がいずれも「
２」であるとする。また、移動製本車両Ｃが納品先から離れたところに位置し、納品先ま
での配送経路については経路コスト係数が「２」であるとする。また、移動印刷車両Ａ、
Ｂおよび移動製本車両Ｃの移動能力係数は、それぞれ「１」、「１」、「1.5」であり、
移動印刷車両Ａ、Ｂおよび移動製本車両Ｃの順で移動能力が優れているとする。
【０１０４】
管理サーバ１００では、ステップＳ１００を経て、印刷ジョブが取得される。ここで、
図４の印刷ジョブが取得されたとする。そして、ステップＳ１０２を経て、印刷処理およ
び製本処理を実行可能な実行リソースが検索される。
図９は、印刷処理および製本処理を実行可能な実行リソースの一覧を示す図である。
図４の印刷ジョブを解析すると、必要な印刷処理が２つ、製本処理が１つである。そこ
で、それら印刷処理および製本処理を実行可能な実行リソースとして、２台の移動印刷車
両Ａ、Ｂおよび１台の移動製本車両Ｃが索出されたとする。この場合、印刷処理１、２お
よび製本処理を割り当てる実行リソースの組み合わせは、図９に示すように、（Ａ、Ａ、
Ｃ）、（Ａ、Ｂ、Ｃ）、（Ｂ、Ａ、Ｃ）および（Ｂ、Ｂ、Ｃ）の４通りである。なお、か
っこ内の記号は、移動印刷車両Ａ、Ｂおよび移動製本車両Ｃのいずれかを示し、かっこ内
の第１要素は印刷処理１を、第２要素は印刷処理２を、第３要素は製本処理を割り当てる
ことを示す。以下、印刷処理および製本処理を割り当てる実行リソースの組み合わせを同
様に表記する。
【０１０５】
実行リソースが索出されると、ステップＳ２０８を経て、移動印刷車両Ａ、Ｂが印刷に
必要な資材を保有しているか否かが判定される。例えば、図４の印刷ジョブを解析した結
果、Ａ６サイズの厚紙光沢紙で４００部を印刷する場合、資材情報テーブル４００が図５
の内容であるとすると、移動印刷車両Ａは、Ａ６サイズの厚紙光沢紙が１００部不足して
いるため、印刷に必要な資材を保有していないと判定される。
【０１０６】
次いで、ステップＳ２０８の判定結果に応じて、ステップＳ２００〜Ｓ２２６、Ｓ２３
０〜Ｓ２３４を経て、対象実行リソースのうち印刷処理および製本処理を割り当てる実行
リソースのすべての組み合わせについて移動コストが算出される。
図１０は、印刷処理および製本処理を割り当てる各組み合わせについて移動コストの算
出結果を示す図である。
【０１０７】
（Ａ、Ａ、Ｃ）について、移動印刷車両Ａの移動コストは、図１０に示すように、移動
印刷車両Ａが経由地点を経由して合流地点まで移動するので、（２＋２）×１＝「４」と
なる。移動製本車両Ｃの移動コストは、移動製本車両Ｃが納品先まで移動するので、２×
1.5＝「３」となる。したがって、移動コストの合計は、４＋３＝「７」となる。
同様の計算により、（Ａ、Ｂ、Ｃ）、（Ｂ、Ａ、Ｃ）および（Ｂ、Ｂ、Ｃ）については
、移動コストの合計がそれぞれ「１０」、「１０」、「６」となる。
【０１０８】
次いで、ステップＳ２２８を経て、各組み合わせのなかから、移動コストの合計が最小
となる実行リソースの組み合わせが決定され、その組み合わせについて移動計画、印刷計
画および製本計画が決定される。図１０の例では、（Ｂ、Ｂ、Ｃ）が決定される。
そして、ステップＳ１０６、Ｓ１０８を経て、コンテンツサーバからコンテンツが取得
され、取得されたコンテンツに基づいて印刷データが生成される。そして、ステップＳ１
１０〜Ｓ１２０を経て、移動計画情報、印刷計画情報および製本計画情報が生成され、生
成された移動計画情報、印刷計画情報、製本計画情報および印刷データが実行リソースに
送信される。
【０１０９】
移動印刷車両Ｂでは、移動計画情報受信部６０により移動計画情報を受信すると、移動
案内部６２により、受信した移動計画情報に基づいて移動案内が行われる。オペレータは
、移動案内に従って運転し、移動印刷車両Ｂを合流地点まで移動する。また、印刷計画情
報受信部６４により印刷計画情報および印刷データを受信すると、印刷制御部６８により
、受信した印刷計画情報および印刷データに基づいて印刷装置６６が制御され、印刷処理
１、２が実行される。印刷処理１、２は、移動印刷車両Ｂの移動中に実行される。
【０１１０】
移動製本車両Ｃでは、合流地点において移動印刷車両Ｂの印刷結果を受け取り、移動計
画情報受信部７０により移動計画情報を受信すると、移動案内部７２により、受信した移
動計画情報に基づいて移動案内が行われる。オペレータは、移動案内に従って運転し、移
動製本車両Ｃを合流地点から納品先まで移動する。また、製本計画情報受信部７４により
製本計画情報を受信すると、製本制御部７８により、受信した製本計画情報に基づいて製
本装置７６が制御され、製本処理が実行される。製本処理は、移動製本車両Ｃの移動中に
実行される。
【０１１１】
なお、経由地点を考慮しない場合は、（Ａ、Ａ、Ｃ）および（Ｂ、Ｂ、Ｃ）の移動コス
トが最小となり、（Ａ、Ａ、Ｃ）が選択される可能性がある。しかしながら、（Ａ、Ａ、
Ｃ）の組み合わせで印刷処理および製本処理を実行すると、移動印刷車両Ａの印刷途中で
印刷用紙が不足し、経由地点を経由せざるを得なくなる。この場合、移動コストの合計は
、「７」またはそれよりも大きくなる可能性がある。
【０１１２】
このようにして、本実施の形態では、印刷および製本の仕様、並びに納品先の位置を含
む印刷ジョブを取得し、移動印刷車両２００が印刷に必要な資材を保有しているか否かを
判定し、その判定結果および取得した印刷ジョブに基づいて実行リソースの移動計画を、
取得した印刷ジョブに基づいて実行リソースの印刷計画および製本計画を行う。
これにより、移動計画、印刷計画および製本計画に基づいて、実行リソースが連携し移
動しながら印刷および製本を行うので、従来に比して、印刷処理および製本処理を効率的
に行うことができる。また、複数の印刷装置６６または製本装置７６を備える実行リソー
スを利用するのではなく、印刷装置６６または製本装置７６を備える実行リソースを複数
利用するので、納品指示の内容に応じて実行リソースを必要な数だけ手配すればよく、多
数の配送を並行して行うような場合に、コストを低減するとともに実行リソースを効率的
に運用することができる。さらに、移動印刷車両２００が経由地点を経由する必要がある
か否かを考慮して移動計画を行うので、移動印刷車両２００が必要な資材を保有していな
い場合に、移動計画を効率的に行うことができる。
【０１１３】
さらに、本実施の形態では、移動印刷車両２００が合流地点まで移動するのに要する移
動コスト、移動製本車両２１０が合流地点から納品先まで移動するのに要する移動コスト
、および移動印刷車両２００が経由地点を経由して合流地点まで移動するのに要する移動
コストを算出し、印刷処理および製本処理を割り当てる実行リソースのすべての組み合わ
せについて、必要な資材を保有していると判定したときは、経由地点を経由しない場合の
移動コストの算出結果を、必要な資材を保有していないと判定したときは、経由地点を経
由した場合の移動コストの算出結果を取得し、取得した算出結果に基づいて、移動コスト
の合計が最小となる実行リソースの組み合わせを決定し、その組み合わせについて移動計
画、印刷計画および製本計画を決定する。
【０１１４】
これにより、移動コストの合計が最小となる実行リソースの組み合わせについて移動計
画、印刷計画および製本計画を決定するので、移動コストをさらに効果的に低減すること
ができる。
さらに、本実施の形態では、配送経路上を移動するのに要する経路コストを示す経路コ
スト情報および実行リソースの移動能力を示す移動能力情報に基づいて実行リソースの移
動コストを算出する。
【０１１５】
これにより、移動コストをより詳細に算出することができるので、移動コストをさらに
効果的に低減することができる。
上記第１の実施の形態において、移動印刷車両２００および移動製本車両２１０は、形
態１、９または１７の移動体に対応し、移動印刷車両２００は、形態２ないし４、１０な
いし１２、１８ないし２０の第１移動体に対応し、移動製本車両２１０は、形態２、４、
１０、１２、１８または２０の第２移動体に対応している。また、印刷装置６６および製
本装置７６は、形態１、９または１７の工程実施装置に対応し、印刷装置６６は、形態２
、１０または１８の第１工程実施装置に対応し、製本装置７６は、形態２、１０または１
８の第２工程実施装置に対応し、印刷ジョブ取得部２２およびステップＳ１００は、形態
１ないし３の納品指示情報取得手段に対応している。
【０１１６】
また、上記第１の実施の形態において、ステップＳ１００は、形態９ないし１１、１７
ないし１９の納品指示情報取得ステップに対応し、資材情報取得部２６およびステップＳ
２０６は、形態３の資材情報取得手段に対応し、ステップＳ２０６は、形態１１または１
９の資材情報取得ステップに対応している。また、資材判定部３６およびステップＳ２０
８は、形態１ないし４の経由判定手段に対応し、ステップＳ２０８は、形態９ないし１２
、１７ないし２０の経由判定ステップに対応し、移動コスト算出部４０およびステップＳ
２１２は、形態４の第１移動コスト算出手段に対応している。
【０１１７】
また、上記第１の実施の形態において、ステップＳ２１２は、形態１２または２０の第
１移動コスト算出ステップに対応し、移動コスト算出部４４およびステップＳ２２２は、
形態４の第２移動コスト算出手段に対応し、ステップＳ２２２は、形態１２または２０の
第２移動コスト算出ステップに対応している。また、移動コスト算出部４５およびステッ
プＳ２３４は、形態４の第３移動コスト算出手段に対応し、ステップＳ２３４は、形態１
２または２０の第３移動コスト算出ステップに対応し、算出結果取得部４６、計画決定部
４８およびステップＳ２００、Ｓ２２６、Ｓ２２８は、形態１ないし４の管理手段に対応
している。
【０１１８】
また、上記第１の実施の形態において、ステップＳ２００、Ｓ２２６、Ｓ２２８は、形
態９ないし１２、１７ないし２０の管理ステップに対応し、算出結果取得部４６およびス
テップＳ２００、Ｓ２２６は、形態４の算出結果取得手段に対応し、ステップＳ２００、
Ｓ２２６は、形態１２または２０の算出結果取得ステップに対応している。また、計画決
定部４８およびステップＳ２２８は、形態４の計画決定手段に対応し、ステップＳ２２８
は、形態１２または２０の計画決定ステップに対応し、印刷ジョブは、形態１ないし３、
９ないし１１、１７ないし１９の納品指示情報に対応している。
【０１１９】
次に、本発明の第２の実施の形態を図面を参照しながら説明する。図１１ないし図１５
は、本発明に係る移動印刷サービス提供システムおよび移動印刷サービス提供プログラム
、並びに移動印刷サービス提供方法の第２の実施の形態を示す図である。なお、以下、上
記第１の実施の形態と異なる部分についてのみ説明し、上記第１の実施の形態と重複する
部分については同一の符号を付して説明を省略する。
【０１２０】
まず、本実施の形態の概要を説明する。
図１１は、本実施の形態の概要を説明するための図である。
本実施の形態は、上記第１の実施の形態に対して、図１１に示すように、移動製本車両
２１０の位置ではなく、所定の場所を合流地点として設定する点が異なる。合流地点には
、納品先の位置も含まれる。
【０１２１】
まず、本発明を適用するネットワークシステムの機能概要を説明する。
図１２は、ネットワークシステムの機能概要を示す機能ブロック図である。
管理サーバ１００は、図１２に示すように、実行可能情報記憶部１０、資材情報記憶部
１２、経路コスト情報記憶部１４、移動能力情報記憶部１６、経由地点情報記憶部２０、
印刷ジョブ取得部２２、実行リソース検索部２４、資材情報取得部２６および資材判定部
３６を有して構成されている。
【０１２２】
管理サーバ１００は、さらに、経路コスト情報取得部２８、移動能力情報取得部３０、
経由地点情報取得部３４、移動コスト算出部４０、４４、４５、算出結果取得部４６、計
画決定部４８、コンテンツ取得部５０、印刷データ生成部５２、移動計画情報送信部５４
、印刷計画情報送信部５６および製本計画情報送信部５８を有して構成されている。
管理サーバ１００は、さらに、経路コスト情報取得部２８および移動能力情報取得部３
０で取得した経路コスト情報および移動能力情報に基づいて、対象実行リソースのうち移
動製本車両２１０が合流地点まで移動するのに要する移動コストを算出する移動コスト算
出部４２を有して構成されている。
【０１２３】
算出結果取得部４６は、対象実行リソースのうち印刷処理および製本処理を割り当てる
実行リソース、並びに複数の合流地点のすべての組み合わせについて、資材判定部３６で
必要な資材を保有していると判定したときは、移動コスト算出部４０、４２、４４の算出
結果を、資材判定部３６で必要な資材を保有していないと判定したときは、移動コスト算
出部４５、４２、４４の算出結果を取得する。
【０１２４】
計画決定部４８は、算出結果取得部４６で取得した算出結果に基づいて、移動コストの
合計が最小となる実行リソースおよび合流地点の組み合わせを決定し、その組み合わせに
ついて移動計画、印刷計画および製本計画を決定する。
次に、管理サーバ１００のＣＰＵ８０で実行される処理を説明する。
ＣＰＵ８０は、図７の計画決定処理に代えて、図１３のフローチャートに示す計画決定
処理を実行する。
【０１２５】
図１３は、ステップＳ１０４の計画決定処理を示すフローチャートである。
計画決定処理は、ステップＳ１０４において実行されると、図１３に示すように、まず
、ステップＳ３００に移行する。
ステップＳ３００では、対象実行リソースおよび複数の合流地点のなかから印刷処理お
よび製本処理を割り当てる実行リソースおよび合流地点の組み合わせを選択し、ステップ
Ｓ３０２〜Ｓ３０８に移行して、ステップＳ２０２〜Ｓ２０８と同様の処理を実行し、ス
テップＳ３０８で、必要な資材を保有していると判定したとき(Yes)は、ステップＳ３１
０に移行する。
【０１２６】
ステップＳ３１０では、選択移動印刷車両２００の位置から、ステップＳ３００で選択
した組み合わせに係る合流地点（以下、選択合流地点という。）までの配送経路上を移動
するのに要する経路コストを示す経路コスト情報を記憶装置９２から取得し、ステップＳ
３１２に移行して、ステップＳ３０４、Ｓ３１０で取得した移動能力情報および経路コス
ト情報に基づいて、選択移動印刷車両２００が選択合流地点まで移動するのに要する移動
コストを算出し、ステップＳ３１４に移行する。
【０１２７】
ステップＳ３１４、Ｓ３１６では、ステップＳ２１４、Ｓ２１６と同様の処理を実行し
、ステップＳ３１６で、すべての印刷処理について処理が終了したと判定したとき(Yes)
は、ステップＳ３１８に移行する。
ステップＳ３１８では、選択移動製本車両２１０の位置から選択合流地点までの配送経
路上を移動するのに要する経路コストを示す経路コスト情報を記憶装置９２から取得し、
ステップＳ３２０に移行して、選択移動製本車両２１０の移動能力情報を記憶装置９２か
ら取得し、ステップＳ３２２に移行する。
【０１２８】
ステップＳ３２２では、ステップＳ３１８、Ｓ３２０で取得した経路コスト情報および
移動能力情報に基づいて、選択移動製本車両２１０が選択合流地点まで移動するのに要す
る移動コストを算出し、ステップＳ３２４に移行する。
ステップＳ３２４では、選択合流地点から納品先までの配送経路上を移動するのに要す
る経路コストを示す経路コスト情報を記憶装置９２から取得し、ステップＳ３２６に移行
して、ステップＳ３２４、Ｓ３２０で取得した経路コスト情報および移動能力情報に基づ
いて、選択移動製本車両２１０が選択合流地点から納品先まで移動するのに要する移動コ
ストを算出し、ステップＳ３２８に移行する。
【０１２９】
ステップＳ３２８、Ｓ３３０では、ステップＳ２２４、Ｓ２２６と同様の処理を実行し
、ステップＳ３３０で、すべての組み合わせについて処理が終了したと判定したとき(Yes
)は、ステップＳ３３２に移行する。
ステップＳ３３２では、ステップＳ３１２、Ｓ３２２、Ｓ３２６の算出結果に基づいて
、移動コストの合計が最小となる実行リソースおよび合流地点の組み合わせを決定し、そ
の組み合わせについて移動計画、印刷計画および製本計画を決定し、一連の処理を終了し
て元の処理に復帰させる。
【０１３０】
一方、ステップＳ３３０で、すべての組み合わせについて処理が終了していないと判定
したとき(No)は、ステップＳ３００に移行する。
一方、ステップＳ３１６で、すべての印刷処理について処理が終了していないと判定し
たとき(No)は、ステップＳ３０２に移行する。
一方、ステップＳ３０８で、必要な資材を保有していないと判定したとき(No)は、ステ
ップＳ３３４に移行して、ステップＳ２３０と同様の処理を実行し、ステップＳ３３６に
移行する。
【０１３１】
ステップＳ３３６では、選択移動印刷車両２００の位置から経由地点を経由して選択合
流地点までの配送経路上を移動するのに要する経路コストを示す経路コスト情報を記憶装
置９２から取得し、ステップＳ３３８に移行して、ステップＳ３０４、Ｓ３３４、Ｓ３３
６で取得した移動能力情報、経由地点情報および経路コスト情報に基づいて、選択移動印
刷車両２００が経由地点を経由して選択合流地点まで移動するのに要する移動コストを算
出し、ステップＳ３１４に移行する。
【０１３２】
次に、本実施の形態の動作を説明する。
図１４は、実行リソースの現在位置を示す図である。
いま、図１４に示すように、移動印刷車両Ａ、Ｂが合流地点Ａから離れたところに位置
し、合流地点Ａまでの配送経路については経路コスト係数がいずれも「３」であるとする
。また、経由地点が合流地点Ａから離れたところに位置し、移動印刷車両Ａまたは合流地
点Ａまでの配送経路については経路コスト係数がいずれも「２」であるとする。また、移
動製本車両Ｃが納品先に位置し、納品先から合流地点Ａまでの配送経路については経路コ
スト係数が「２」であるとする。なお、移動印刷車両Ａ、Ｂおよび移動製本車両Ｃの移動
能力係数、並びに移動印刷車両Ａが印刷に必要な資材を有していない点は、上記第１の実
施の形態と同様とする。
【０１３３】
管理サーバ１００では、ステップＳ１００を経て、印刷ジョブが取得される。ここで、
図４の印刷ジョブが取得されたとする。そして、ステップＳ１０２を経て、印刷処理およ
び製本処理を実行可能な実行リソースが検索される。
図４の印刷ジョブを解析すると、必要な印刷処理が２つ、製本処理が１つである。そこ
で、それら印刷処理および製本処理を実行可能な実行リソースとして、２台の移動印刷車
両Ａ、Ｂおよび１台の移動製本車両Ｃが索出されたとする。
【０１３４】
次いで、ステップＳ３００〜Ｓ３３０、Ｓ３３４〜Ｓ３３８を経て、対象実行リソース
のうち印刷処理および製本処理を割り当てる実行リソースおよび合流地点のすべての組み
合わせについて移動コストが算出される。ここで、合流地点としては、合流地点Ａおよび
納品先が選択される。したがって、印刷処理１、２および製本処理を割り当てる実行リソ
ースおよび合流地点の組み合わせは、（Ａ、Ａ、Ｃ、合流地点Ａ）、（Ａ、Ｂ、Ｃ、合流
地点Ａ）、（Ｂ、Ａ、Ｃ、合流地点Ａ）、（Ｂ、Ｂ、Ｃ、合流地点Ａ）、（Ａ、Ａ、Ｃ、
納品先）、（Ａ、Ｂ、Ｃ、納品先）、（Ｂ、Ａ、Ｃ、納品先）および（Ｂ、Ｂ、Ｃ、納品
先）の８通りである。なお、かっこ内の第４要素は合流地点を示す。また、これらの組み
合わせのうち（Ａ、Ｂ、Ｃ）および（Ｂ、Ａ、Ｃ）は、上記第１の実施の形態に示すよう
に移動コストの算出結果が重複するので、以下、（Ａ、Ｂ、Ｃ、合流地点Ａ）および（Ａ
、Ｂ、Ｃ、納品先）の２つの組み合わせについて説明する。
【０１３５】
図１５は、印刷処理および製本処理を割り当てる各組み合わせについて移動コストの算
出結果を示す図である。
（Ａ、Ａ、Ｃ、合流地点Ａ）について、移動印刷車両Ａの移動コストは、図１５に示す
ように、移動印刷車両Ａが経由地点を経由して合流地点Ａまで移動するので、（２＋２）
×１＝「４」となる。移動製本車両Ｃの移動コストは、移動製本車両Ｃが合流地点Ａと納
品先の間を往復するので、２×1.5×２＝「６」となる。したがって、移動コストの合計
は、４＋６＝「１０」となる。
【０１３６】
また、（Ａ、Ａ、Ｃ、納品先）について、移動印刷車両Ａの移動コストは、移動印刷車
両Ａが経由地点および合流地点Ａを経由して納品先まで移動するので、（２＋２＋２）×
１＝「６」となる。移動製本車両Ｃの移動コストは、移動製本車両Ｃが移動しないので、
「０」となる。したがって、移動コストの合計は、６＋０＝「６」となる。
同様の計算により、（Ａ、Ｂ、Ｃ、合流地点Ａ）、（Ｂ、Ｂ、Ｃ、合流地点Ａ）、（Ａ
、Ｂ、Ｃ、納品先）および（Ｂ、Ｂ、Ｃ、納品先）については、移動コストの合計がそれ
ぞれ「１３」、「９」、「１１」、「５」となる。
【０１３７】
次いで、ステップＳ３３２を経て、各組み合わせのなかから、移動コストが最小となる
実行リソースおよび合流地点の組み合わせが決定され、その組み合わせについて移動計画
、印刷計画および製本計画が決定される。図１５の例では、（Ｂ、Ｂ、Ｃ、納品先）が決
定される。
そして、ステップＳ１０６、Ｓ１０８を経て、コンテンツサーバからコンテンツが取得
され、取得されたコンテンツに基づいて印刷データが生成される。そして、ステップＳ１
１０〜Ｓ１２０を経て、移動計画情報、印刷計画情報および製本計画情報が生成され、生
成された移動計画情報、印刷計画情報、製本計画情報および印刷データが実行リソースに
送信される。
【０１３８】
移動印刷車両Ｂでは、移動計画情報受信部６０により移動計画情報を受信すると、移動
案内部６２により、受信した移動計画情報に基づいて移動案内が行われる。オペレータは
、移動案内に従って運転し、移動印刷車両Ｂを納品先まで移動する。また、印刷計画情報
受信部６４により印刷計画情報および印刷データを受信すると、印刷制御部６８により、
受信した印刷計画情報および印刷データに基づいて印刷装置６６が制御され、印刷処理１
、２が実行される。印刷処理１、２は、移動印刷車両Ｂの移動中に実行される。
【０１３９】
移動製本車両Ｃでは、納品先において移動印刷車両Ｂの印刷結果を受け取り、製本計画
情報受信部７４により製本計画情報を受信すると、製本制御部７８により、受信した製本
計画情報に基づいて製本装置７６が制御され、製本処理が実行される。製本処理は、納品
先において実行される。
このようにして、本実施の形態では、移動印刷車両２００が合流地点まで移動するのに
要する移動コスト、移動製本車両２１０が合流地点まで移動するのに要する移動コスト、
移動製本車両２１０が合流地点から納品先まで移動するのに要する移動コスト、および移
動印刷車両２００が経由地点を経由して合流地点まで移動するのに要する移動コストを算
出し、印刷処理および製本処理を割り当てる実行リソースおよび合流地点のすべての組み
合わせについて、必要な資材を保有していると判定したときは、経由地点を経由しない場
合の移動コストの算出結果を、必要な資材を保有していないと判定したときは、経由地点
を経由した場合の移動コストの算出結果を取得し、取得した算出結果に基づいて、移動コ
ストの合計が最小となる実行リソースおよび合流地点の組み合わせを決定し、その組み合
わせについて移動計画、印刷計画および製本計画を決定する。
【０１４０】
これにより、移動コストの合計が最小となる実行リソースおよび合流地点の組み合わせ
について移動計画、印刷計画および製本計画を決定するので、移動コストをさらに効果的
に低減することができる。
上記第２の実施の形態において、資材情報取得部２６およびステップＳ３０６は、形態
３の資材情報取得手段に対応し、ステップＳ３０６は、形態１１または１９の資材情報取
得ステップに対応し、資材判定部３６およびステップＳ３０８は、形態３または５の経由
判定手段に対応している。また、ステップＳ３０８は、形態１１、１３、１９または２１
の経由判定ステップに対応し、移動コスト算出部４０およびステップＳ３１２は、形態５
の第１移動コスト算出手段に対応し、ステップＳ３１２は、形態１３または２１の第１移
動コスト算出ステップに対応している。
【０１４１】
また、上記第２の実施の形態において、移動コスト算出部４２およびステップＳ３２２
は、形態５の第２移動コスト算出手段に対応し、ステップＳ３２２は、形態１３または２
１の第２移動コスト算出ステップに対応し、移動コスト算出部４４およびステップＳ３２
６は、形態５の第３移動コスト算出手段に対応している。また、ステップＳ３２６は、形
態１３または２１の第３移動コスト算出ステップに対応し、移動コスト算出部４５および
ステップＳ３３８は、形態５の第４移動コスト算出手段に対応し、ステップＳ３３８は、
形態１３または２１の第４移動コスト算出ステップに対応している。
【０１４２】
また、上記第２の実施の形態において、算出結果取得部４６、計画決定部４８およびス
テップＳ３００、Ｓ３３０、Ｓ３３２は、形態３または５の管理手段に対応し、ステップ
Ｓ３００、Ｓ３３０、Ｓ３３２は、形態１１、１３、１９または２１の管理ステップに対
応し、算出結果取得部４６およびステップＳ３００、Ｓ３３０は、形態５の算出結果取得
手段に対応している。また、ステップＳ３００、Ｓ３３０は、形態１３または２１の算出
結果取得ステップに対応し、計画決定部４８およびステップＳ３３２は、形態５の計画決
定手段に対応し、ステップＳ３３２は、形態１３または２１の計画決定ステップに対応し
ている。
【０１４３】
なお、上記第１および第２の実施の形態においては、移動印刷車両２００が経由地点を
経由する必要があるか否かを考慮して移動計画を行うように構成したが、これに限らず、
移動製本車両２１０が経由地点を経由する必要があるか否かを考慮して移動計画を行うよ
うに構成することもできる。この場合、図７および図１３の計画決定処理において印刷処
理と同様に資材有無の判定を行えばよい。具体的には、上記第１の実施の形態にあっては
、ステップＳ２０８、Ｓ２３０〜Ｓ２３４に対応する処理を、上記第２の実施の形態にあ
っては、ステップＳ３０８、Ｓ３３４〜Ｓ３３８の処理をそれぞれ追加する。
【０１４４】
また、上記第１および第２の実施の形態においては、資材を補給可能な経由地点を経由
するように構成したが、これに限らず、実行リソースの燃料を補給可能な経由地点、実行
リソースをメンテナンス可能な経由地点、または実行リソースの印刷結果若しくは製本結
果を確認若しくは引き渡すための経由地点を経由するように構成することもできる。
また、上記第１および第２の実施の形態においては、経路コスト情報に基づいて移動コ
ストを算出するように構成したが、これに限らず、実行リソース、合流地点および納品先
の位置情報、勾配や経路等を含む地図情報、並びに渋滞、工事、交通規制その他の道路事
情を示す道路情報に基づいて移動コストを算出するように構成することもできる。この場
合、上記第１および第２の実施の形態において、例えば、位置情報を記憶する位置情報記
憶部と、位置情報記憶部から位置情報を取得する位置情報取得部と、地図情報を記憶する
地図情報記憶部と、地図情報記憶部から地図情報を取得する地図情報取得部と、道路情報
を記憶する道路情報記憶部と、道路情報記憶部から道路情報を取得する道路情報取得部と
を追加すればよい。
【０１４５】
また、上記第１および第２の実施の形態において、経路コスト情報を記憶装置９２から
単に取得するだけの構成であるが、より具体的には、例えば、複数の経路間のそれぞれに
ついて経路コスト情報を記憶装置９２に記憶しておき、ステップＳ２１０、Ｓ２１８、Ｓ
２３２、Ｓ３１０、Ｓ３１８、Ｓ３２４、Ｓ３３６の処理を次のように構成することがで
きる。
【０１４６】
ステップＳ２１０、Ｓ３１０では、移動印刷車両２００の位置情報および合流地点の位
置情報を取得し、取得した位置情報に基づいて、移動印刷車両２００の位置から合流地点
までの配送経路上を移動するのに要する経路コストを示す経路コスト情報を記憶装置９２
から取得する。
ステップＳ３１８では、移動製本車両２１０の位置情報および合流地点の位置情報を取
得し、取得した位置情報に基づいて、移動製本車両２１０の位置から合流地点までの配送
経路上を移動するのに要する経路コストを示す経路コスト情報を記憶装置９２から取得す
る。
【０１４７】
ステップＳ２１８、Ｓ３２４では、合流地点の位置情報を取得し、取得した位置情報お
よび印刷ジョブ（納品先の位置）に基づいて、合流地点から納品先までの配送経路上を移
動するのに要する経路コストを示す経路コスト情報を記憶装置９２から取得する。
ステップＳ２３２、Ｓ３３６では、移動印刷車両２００の位置情報、経由地点情報（経
由地点の位置）および合流地点の位置情報を取得し、取得した位置情報に基づいて、移動
印刷車両２００の位置から経由地点を経由して合流地点までの配送経路上を移動するのに
要する経路コストを示す経路コスト情報を記憶装置９２から取得する。
【０１４８】
また、上記第２の実施の形態においては、ステップＳ３１８、Ｓ３２４で、移動製本車
両２１０の位置から合流地点までの配送経路上を移動するのに要する経路コストを示す経
路コスト情報、および合流地点から納品先までの配送経路上を移動するのに要する経路コ
ストを示す経路コスト情報をそれぞれ取得するように構成したが、これに限らず、これら
の処理を一つにまとめ、移動製本車両２１０の位置から合流地点を経由して納品先までの
配送経路上を移動するのに要する経路コストを示す経路コスト情報を取得するように構成
することもできる。
【０１４９】
また、上記第２の実施の形態においては、ステップＳ３２２、Ｓ３２６で、移動製本車
両２１０が合流地点まで移動するのに要する移動コスト、および移動製本車両２１０が合
流地点から納品先まで移動するのに要する移動コストをそれぞれ算出するように構成した
が、これに限らず、これらの処理を一つにまとめ、移動製本車両２１０が合流地点を経由
して納品先まで移動するのに要する移動コストを算出するように構成することもできる。
【０１５０】
また、上記第１および第２の実施の形態においては、移動コストの合計が最小となる実
行リソースの組み合わせを決定するように構成したが、これに限らず、納品期限までに印
刷処理および製本処理が完了しかつ移動コストの合計が最小となる実行リソースの組み合
わせを決定するように構成することもできる。
また、上記第１および第２の実施の形態においては、印刷ジョブにより決定される印刷
処理および製本処理が実行可能な実行リソースを検索するように構成したが、これに限ら
ず、印刷処理および製本処理が実行可能な実行リソースでも、他の印刷ジョブに占有され
ている実行リソースは検索の対象から除外するように構成することもできる。
【０１５１】
また、上記第１および第２の実施の形態において、移動コストの指標については特に説
明しなかったが、移動コストは、移動に要する費用、または移動に伴って生じる環境負荷
を指標とすることができる。
また、上記第１および第２の実施の形態においては、製本処理が１つしか存在しない場
合について説明したが、これに限らず、製本処理が複数存在する場合は、図７および図１
３の計画決定処理において印刷処理と同様にループを回せばよい。具体的には、上記第１
の実施の形態にあっては、ステップＳ２０２、Ｓ２１６に対応する処理を、上記第２の実
施の形態にあっては、ステップＳ３０２、Ｓ３１６に対応する処理をそれぞれ追加する。
【０１５２】
また、上記第１および第２の実施の形態において、実行可能情報は、記憶装置９２にあ
らかじめ記憶させるように構成したが、これに限らず、記憶装置９２には記憶させず、必
要に応じて実行リソースから取得するように構成することもできる。このことは、資材情
報、経路コスト情報、移動能力情報および経由地点情報についても同様である。
また、上記第１および第２の実施の形態においては、受注日時およびコンテンツ納期が
同時である例を示したが、これに限らず、コンテンツ納期よりも受注日時が前である場合
は、コンテンツ納期に達した時点で実行リソースが最適な場所に位置するように実行リソ
ースを事前に配置するように構成することもできる。ここで、最適な場所とは、最短で納
品ができる組み合わせが得られる位置である。
【０１５３】
また、上記第１および第２の実施の形態においては、印刷および製本を行うように構成
したが、これに限らず、印刷または印刷後処理に関する工程であれば、複数の工程を任意
の順序、任意の区分または任意の組み合わせで行うことができる。ここで、印刷または印
刷後処理に関する工程としては、例えば、印刷、追い刷り、箔押し、ニスコート、ラミネ
ート、折り、帳合、製本、裁断および封緘が含まれる。
【０１５４】
具体的な例を挙げると、ダイレクトメールを作成するのに、まず、カラー印刷が可能な
印刷機でカラーの背景を印刷する工程を行い、続いて白黒のデジタル印刷機でバリアブル
印刷（ダイレクトメールの宛名や、請求書の個別の内容等）の追い刷り工程を行い、封筒
に入れるために折り機で折りの工程を行い、封緘機で封緘の工程を行うといった一連の工
程の組み合わせで、印刷済み、封緘済みのダイレクトメールを作成する。他の例を挙げる
と、カラーページと白黒ページが混在する書籍を作成する場合を考えると、カラー印刷機
でカラーページを印刷する工程、白黒印刷機で白黒ページを印刷する工程、それぞれの印
刷済みページを１部ずつページ順に並べる帳合の工程、帳合済みのページを製本する製本
の工程を経て、書籍を作成する。
【０１５５】
また、上記第１および第２の実施の形態においては、実行リソースを自動車として構成
したが、これに限らず、印刷装置６６または製本装置７６を移動可能に搭載した架台とし
て構成し、印刷工場内に敷設したレール上に沿って架台を移動させ、印刷ジョブに応じて
最適な工程配置を行う場合にも適用することができる。
また、上記第１および第２の実施の形態においては、管理サーバ１００で印刷データを
生成するように構成したが、これに限らず、印刷制御部６８で印刷データを生成するよう
に構成することもできる。
【０１５６】
また、上記第１および第２の実施の形態においては、図６、図７および図１３のフロー
チャートに示す処理を実行するにあたっては、いずれもＲＯＭ８２にあらかじめ格納され
ている制御プログラムを実行する場合について説明したが、これに限らず、これらの手順
を示したプログラムが記憶された記憶媒体から、そのプログラムをＲＡＭ８４に読み込ん
で実行するようにしてもよい。
【０１５７】
ここで、記憶媒体とは、ＲＡＭ、ＲＯＭ等の半導体記憶媒体、ＦＤ、ＨＤ等の磁気記憶
型記憶媒体、ＣＤ、ＣＤＶ、ＬＤ、ＤＶＤ等の光学的読取方式記憶媒体、ＭＯ等の磁気記
憶型／光学的読取方式記憶媒体であって、電子的、磁気的、光学的等の読み取り方法のい
かんにかかわらず、コンピュータで読み取り可能な記憶媒体であれば、あらゆる記憶媒体
を含むものである。
【０１５８】
また、上記第１および第２の実施の形態においては、本発明に係る移動印刷サービス提
供システムおよび移動印刷サービス提供プログラム、並びに移動印刷サービス提供方法を
、複数の実行リソースが連携し移動しながら印刷および製本を行う場合について適用した
が、これに限らず、例えば、複数の移動印刷車両２００が連携し移動しながら印刷だけを
行う場合、または複数の移動製本車両２１０が連携し移動しながら製本だけを行う場合に
も同様に適用することができる。
【図面の簡単な説明】
【０１５９】
【図１】本実施の形態の概要を説明するための図である。
【図２】ネットワークシステムの機能概要を示す機能ブロック図である。
【図３】管理サーバ１００のハードウェア構成を示す図である。
【図４】印刷ジョブのデータ構造を示す図である。
【図５】資材情報テーブル４００のデータ構造を示す図である。
【図６】移動印刷サービス提供処理を示すフローチャートである。
【図７】ステップＳ１０４の計画決定処理を示すフローチャートである。
【図８】実行リソースの現在位置を示す図である。
【図９】印刷処理および製本処理を実行可能な実行リソースの一覧を示す図である。
【図１０】印刷処理および製本処理を割り当てる各組み合わせについて移動コストの算出結果を示す図である。
【図１１】本実施の形態の概要を説明するための図である。
【図１２】ネットワークシステムの機能概要を示す機能ブロック図である。
【図１３】ステップＳ１０４の計画決定処理を示すフローチャートである。
【図１４】実行リソースの現在位置を示す図である。
【図１５】印刷処理および製本処理を割り当てる各組み合わせについて移動コストの算出結果を示す図である。
【符号の説明】
【０１６０】
１００…管理サーバ、  １０…実行可能情報記憶部、  １２…資材情報記憶部、  １４…
経路コスト情報記憶部、  １６…移動能力情報記憶部、  ２０…経由地点情報記憶部、  
２２…印刷ジョブ取得部、  ２４…実行リソース検索部、  ２６…資材情報取得部、  ２
８…経路コスト情報取得部、  ３０…移動能力情報取得部、  ３４…経由地点情報取得部
、  ３６…資材判定部、  ４０〜４５…移動コスト算出部、  ４６…算出結果取得部、  
４８…計画決定部、  ５０…コンテンツ取得部、  ５２…印刷データ生成部、  ５４…移
動計画情報送信部、  ５６…印刷計画情報送信部、  ５８…製本計画情報送信部、  ２０
０…移動印刷車両、  ６０、７０…移動計画情報受信部、  ６２、７２…移動案内部、  
６４…印刷計画情報受信部、  ６６…印刷装置、  ６８…印刷制御部、  ２１０…移動製
本車両、  ７４…製本計画情報受信部、  ７６…製本装置、  ７８…製本制御部、  ８０
…ＣＰＵ、  ８２…ＲＯＭ、  ８４…ＲＡＭ、  ８８…Ｉ／Ｆ、  ８９…バス、  ９０…
入力装置、  ９２…記憶装置、  ９４…表示装置、  １９９…ネットワーク、  ４００…
資材情報テーブル、  ５００〜５１０…タグセット
【図１】
2007213283.tif 000003
【図２】
2007213283.tif 000004
【図３】
2007213283.tif 000005
【図４】
2007213283.tif 000006
【図５】
2007213283.tif 000007
【図６】
2007213283.tif 000008
【図７】
2007213283.tif 000009
【図８】
2007213283.tif 000010
【図９】
2007213283.tif 000011
【図１０】
2007213283.tif 000012
【図１１】
2007213283.tif 000013
【図１２】
2007213283.tif 000014
【図１３】
2007213283.tif 000015
【図１４】
2007213283.tif 000016
【図１５】
2007213283.tif 000017